(57)【要約】【課題】毛屑室内に溜まった毛屑の清掃を容易化して、手軽に毛屑室Ｒの清掃を行うことができる電気かみそりを提供することにある。【解決手段】グリップを兼ねる本体ケース１と、かみそりヘッド２を備える電気かみそりの全体が、本体ケース１の中心軸線Ｐ１に沿って棒状に構成されている。かみそりヘッド２のヘッドケース９の外周面に、短毛切断部１０を備えている。かみそりヘッド２のヘッドケース９の外周面であって、短毛切断部１０が設けられている位置とは異なる位置に、かみそりヘッド２の内部の毛屑室Ｒに連通する窓８０が設けられている。窓８０に、窓８０を開閉する開閉体８１が設けられている。【選択図】図１８
2018083003.tif 000002
【特許請求の範囲】
【請求項１】
グリップを兼ねる本体ケース（１）と、かみそりヘッド（２）を備える電気かみそりの全体が、本体ケース（１）の中心軸線（Ｐ１）に沿って棒状に構成されており、
かみそりヘッド（２）のヘッドケース（９）の外周面に、短毛切断部（１０）を備えており、
かみそりヘッド（２）のヘッドケース（９）の外周面であって、短毛切断部（１０）が設けられている位置とは異なる位置に、かみそりヘッド（２）の内部の毛屑室（Ｒ）に連通する窓（８０）が設けられており、
窓（８０）に、窓（８０）を開閉する開閉体（８１）が設けられていることを特徴とする電気かみそり。
【請求項２】
開閉体（８１）は、窓（８０）をスライド開閉するシャッター（８２）で構成されており、
シャッター（８２）の外面に、指掛け用の操作片（８３）が設けられていることを特徴とする請求項１に記載の電気かみそり。
【請求項３】
シャッター（８２）が、かみそりヘッド（２）の中心軸線（Ｐ２）方向にスライド開閉できるように設けられており、
窓（８０）を開放した状態において、ヘッドケース（９）の先端からシャッター（８２）の一部が突出していることを特徴とする請求項２に記載の電気かみそり。
【請求項４】
開閉体（８１）は、ヘッドケース（９）で軸支される揺動軸（９０）を備えており、
開閉体（８１）がヘッドケース（９）で揺動開閉可能に支持されていることを特徴とする請求項１に記載の電気かみそり。
【請求項５】
開閉体（８１）を支持する揺動軸（９０）が、かみそりヘッド（２）の中心軸線（Ｐ２）と直交し、かつヘッドケース（９）の本体ケース（１）側の端部に位置する状態で配置されていることを特徴とする請求項４に記載の電気かみそり。
【請求項６】
開閉体（８１）は開放位置で位置保持されるように構成されており、
開閉体（８１）が開放位置に位置保持された状態において、かみそりヘッド（２）の中心軸線（Ｐ２）と開閉体（８１）の中心軸線（Ｐ３）が挟む角度（θ１）が鋭角に設定されていることを特徴とする請求項５に記載の電気かみそり。
【請求項７】
開閉体（８１）の断面形状が樋状に形成されていることを特徴とする請求項４から６のいずれかひとつに記載の電気かみそり。
【請求項８】
本体ケース（１）に、開閉体（８１）を開閉操作するための操作具（９６）が設けられていることを特徴とする請求項４から７のいずれかひとつに記載の電気かみそり。
【請求項９】
短毛切断部（１０）が、ヘッドケース（９）で保持された薄板状の固定刃（１４）と、固定刃（１４）に摺接する可動刃（１５）とを含み、
ヘッドケース（９）が、固定刃（１４）を保持する固定刃ホルダー（１０２）と、窓（８０）を開閉する開閉体（８１）を備えており、
固定刃ホルダー（１０２）と開閉体（８１）は、ヒンジ部（１０４）を介して揺動開閉可能に連結されており、
ヘッドケース（９）の内部に、本体ケース（１）に固定されて可動刃（１５）およびヘッドケース（９）の先端ケース（１０１）を支持する支持フレーム（２２）が設けられており、
ヘッドケース（９）は、固定刃ホルダー（１０２）および開閉体（８１）が、可動刃（１５）および支持フレーム（２２）の周囲を覆う閉じ姿勢と、固定刃ホルダー（１０２）および開閉体（８１）が、可動刃（１５）および支持フレーム（２２）の周囲を開放する開放姿勢との間で揺動開閉でき、
ヘッドケース（９）を閉じ姿勢にした状態において、ヒンジ部（１０４）の内面が支持フレーム（２２）で受止められ、固定刃ホルダー（１０２）および開閉体（８１）の揺動先端に設けた係合部（１０６）が支持フレーム（２２）と係合していることを特徴とする請求項１に記載の電気かみそり。
【発明の詳細な説明】
【技術分野】
【０００１】
本発明は、グリップを兼ねる本体ケースとかみそりヘッドを有する電気かみそりの全体が、本体ケースの中心軸線方向に伸びる棒状に構成されている電気かみそりに関する。
【背景技術】
【０００２】
この種の電気かみそりは、例えば特許文献１に開示されている。特許文献１の電気かみそりでは、外観が円柱状の本体ケース（グリップ）の上部に円筒状の外刃体（かみそりヘッド）が設けられ、電気かみそりの全体が棒状に構成されている。外刃体には円筒状の網状外刃が設けられており、網状外刃の内部に回転駆動される内刃体が設けられている。内刃体は、回転軸の上下に固定される一対の端板および中間板を支持構造にして、２個の長方形状の内刃片を端板および中間板の周囲に装着し、一対の端板の対向面に装着した板バネ片で各内刃片を網状外刃に押付けている。本体ケースに設けたスイッチをオン操作すると、モーターが起動して内刃体が回転駆動され、網状外刃の刃穴から入ったひげを内刃体で切断できる。
【先行技術文献】
【特許文献】
【０００３】
【特許文献１】実開昭５６−５４０６８号公報
【発明の概要】
【発明が解決しようとする課題】
【０００４】
特許文献１の電気かみそりによれば、その全体が棒状に形成されているので、本体ケースを親指と人差し指と中指で把持することで、自在に電気かみそりを移動操作でき、軽快にひげ切断を行える。また、網状外刃が円筒状に保形されているため、網状外刃の任意の周面でひげ切断を行える。
【０００５】
本発明の目的は、毛屑室内に溜まった毛屑の清掃を容易化して、手軽に毛屑室Ｒの清掃を行うことができる電気かみそりを提供することにある。
【課題を解決するための手段】
【０００６】
本発明は、グリップを兼ねる本体ケース１と、かみそりヘッド２を備える電気かみそりの全体が、本体ケース１の中心軸線Ｐ１に沿って棒状に構成されている。かみそりヘッド２のヘッドケース９の外周面に、短毛切断部１０を備えている。かみそりヘッド２のヘッドケース９の外周面であって、短毛切断部１０が設けられている位置とは異なる位置に、かみそりヘッド２の内部の毛屑室Ｒに連通する窓８０が設けられている。窓８０に、窓８０を開閉する開閉体８１が設けられている。
【０００７】
開閉体８１は、窓８０をスライド開閉するシャッター８２で構成されている。シャッター８２の外面に、指掛け用の操作片８３が設けられている。
【０００８】
シャッター８２が、かみそりヘッド２の中心軸線Ｐ２方向にスライド開閉できるように設けられている。窓８０を開放した状態において、ヘッドケース９の先端からシャッター８２の一部が突出している。
【０００９】
開閉体８１は、ヘッドケース９で軸支される揺動軸９０を備えている。開閉体８１がヘッドケース９で揺動開閉可能に支持されている。
【００１０】
開閉体８１を支持する揺動軸９０が、かみそりヘッド２の中心軸線Ｐ２と直交し、かつヘッドケース９の本体ケース１側の端部に位置する状態で配置されている。
【００１１】
開閉体８１は開放位置で位置保持されるように構成されている。開閉体８１が開放位置に位置保持された状態において、かみそりヘッド２の中心軸線Ｐ２と開閉体８１の中心軸線Ｐ３が挟む角度θ１が鋭角に設定されている。
【００１２】
開閉体８１の断面形状が樋状に形成されている。
【００１３】
本体ケース１に、開閉体８１を開閉操作するための操作具９６が設けられている。
【００１４】
短毛切断部１０が、ヘッドケース９で保持された薄板状の固定刃１４と、固定刃１４に摺接する可動刃１５とを含む。ヘッドケース９が、固定刃１４を保持する固定刃ホルダー１０２と、窓８０を開閉する開閉体８１を備えている。固定刃ホルダー１０２と開閉体８１は、ヒンジ部１０４を介して揺動開閉可能に連結されている。ヘッドケース９の内部に、本体ケース１に固定されて可動刃１５およびヘッドケース９の先端ケース１０１を支持する支持フレーム２２が設けられている。ヘッドケース９は、固定刃ホルダー１０２および開閉体８１が、可動刃１５および支持フレーム２２の周囲を覆う閉じ姿勢と、固定刃ホルダー１０２および開閉体８１が、可動刃１５および支持フレーム２２の周囲を開放する開放姿勢との間で揺動開閉できる。ヘッドケース９を閉じ姿勢にした状態において、ヒンジ部１０４の内面が支持フレーム２２で受止められ、固定刃ホルダー１０２および開閉体８１の揺動先端に設けた係合部１０６が支持フレーム２２と係合している。
【発明の効果】
【００１５】
ヘッドケース９の周囲壁に、かみそりヘッド２の内部の毛屑室Ｒに連通する窓８０と、窓８０を開閉する開閉体８１を設けると、開閉体８１を開放して排出窓８０をヘッドケース９の外面に向かって開口させることにより、毛屑室Ｒ内の毛屑を簡便に排出できる。また、短毛切断部１０から洗浄水を供給することで、毛屑室Ｒ内を水洗いしながら、毛屑を洗浄水とともに排出窓８０から排出できる。従って、毛屑室Ｒ内に溜まった毛屑の清掃を容易化して、手軽に毛屑室Ｒの清掃を行うことができる。
【００１６】
窓８０をスライド開閉するシャッター８２で開閉体８１を構成すると、開閉体８１の構造を簡素化でき、さらにシャッター８２をスライドするだけの簡単な操作で、窓８０をヘッドケース９の外面に向かって開口させることができる。また、シャッター８２の外面に指掛け用の操作片８３を設けると、操作片８３を利用してシャッター８２のスライド操作を片手で的確に行うことができる。
【００１７】
かみそりヘッド２の中心軸線Ｐ２方向にスライド開閉できるようにシャッター８２を設け、排出窓８０を開放した状態において、ヘッドケース９の先端からシャッター８２の一部を突出させると、排出窓８０が開放されていることをシャッター８２で表示できる。また、排出窓８０が開放されていることを目視で確認できるので、排出窓８０が開放されたままひげ切断が行われるのを効果的に防止できる。
【００１８】
開閉体８１はヘッドケース９で軸支される揺動軸９０を備え、開閉体８１をヘッドケース９で揺動開閉可能に支持した。こうした開閉体８１によれば、排出窓８０をヘッドケース９の外面に向かって大きく開口することができるので、毛屑室Ｒ内の毛屑を素早く排出できる。また、開閉体８１を開放した状態で開閉体８１の内面を洗浄水で洗い流すことができるので、毛屑の洗浄をより確実に行って、毛屑室Ｒをより清潔に保つことができる。
【００１９】
開閉体８１を支持する揺動軸９０を、かみそりヘッド２の中心軸線Ｐ２と直交し、かつヘッドケース９の本体ケース１側の端部に位置する状態で配置した。こうした開閉体８１によれば、排出窓８０から排出される毛屑や洗浄水が本体ケース１側に飛び散るのを開閉体８１で受け止めて、本体ケース１を把持する手指などに毛屑や洗浄水が付着するのを抑制できる。
【００２０】
開閉体８１は開放位置で位置保持されるように構成し、開閉体８１が開放位置に位置保持された状態において、かみそりヘッドの中心軸線Ｐ２と開閉体８１の中心軸線Ｐ３が挟む角度θ１を鋭角に設定した。これによれば、電気かみそりの洗浄姿勢において、排出窓８０の下方に開閉体８１を位置させ、排出窓８０から排出された洗浄水を開閉体８１で受け止めて、開閉体８１の内面を同時に洗浄することができる。従って、別途開閉体８１を洗浄する手間を掛けることもなく、毛屑を的確に洗い流して毛屑室Ｒ内をより清潔に保つことができる。
【００２１】
開閉体８１の断面形状を樋状に形成すると、開閉体８１で受け止めた洗浄水をガイドして、揺動先端から毛屑や洗浄水を捨てることができるので、洗浄時に毛屑や洗浄水が周囲に飛散するのを防止できる。
【００２２】
本体ケース１に開閉体８１を開閉操作するための操作具９６を設けると、本体ケース１を把持した状態のまま指先で開閉体８１を開閉操作できるので、開閉体８１の開閉を片手でしかも容易に行うことができる。
【００２３】
固定刃１４を保持する固定刃ホルダー１０２と、排出窓８０を開閉する開閉体８１を備えるようにヘッドケース９を構成し、固定刃ホルダー１０２と開閉体８１は、ヒンジ部１０４を介して揺動開閉可能に連結した。また、ヘッドケース９の内部に、可動刃１５および先端ケース１０１を支持する支持フレーム２２を設け、ヘッドケース９は、固定刃ホルダー１０２および開閉体８１が、閉じ姿勢と開放姿勢との間で揺動開閉できるように構成した。さらに、ヘッドケース９を閉じ姿勢にした状態において、ヒンジ部１０４の内面を支持フレーム２２で受止め、固定刃ホルダー１０２および開閉体８１の揺動先端に設けた係合部１０６を支持フレーム２２と係合するようにした。こうした電気かみそりによれば、開閉体８１のみを開放姿勢にすることで排出窓８０をヘッドケース９の外面に向かって開口させ、毛屑や短毛切断部１０から供給した洗浄水を排出窓８０から排出できる。また、固定刃ホルダー１０２を開放姿勢にすることで、固定刃ホルダー１０２に保持される固定刃１４を効率よく洗浄することができる。さらに、固定刃ホルダー１０２および開閉体８１を開放姿勢にした状態においては、両者８１・１０２はヒンジ部１０４の内面が支持フレーム２２で受止められているだけであるので、固定刃ホルダー１０２および開閉体８１を先端ケース１０１から分離することができる。これにより、可動刃１５および支持フレーム２２を露呈させた状態で毛屑室Ｒを洗浄でき、さらに固定刃ホルダー１０２および開閉体８１の内面も洗浄することができるので、毛屑を的確に洗い流して毛屑室Ｒをより清潔に保つことができる。
【図面の簡単な説明】
【００２４】
【図１】本発明の実施例１に係る電気かみそりの縦断側面図である。
【図２】実施例１に係る電気かみそりの側面図である。
【図３】実施例１に係る電気かみそりの平面図である。
【図４】実施例１に係るかみそりヘッドを示す横断平面図である。
【図５】実施例２に係る電気かみそりの機能構造を示す正面図である。
【図６】図５におけるＡ−Ａ線断面図である。
【図７】実施例３に係るかみそりヘッドを示す側面図である。
【図８】実施例４に係るかみそりヘッドを示す一部破断側面図である。
【図９】実施例５に係るかみそりヘッドの先端を示す正面図である。
【図１０】図９におけるＢ−Ｂ線断面図である。
【図１１】実施例６に係るかみそりヘッドを示す側面図である。
【図１２】実施例６に係る電気かみそりの機能構造を示す横断平面図である。
【図１３】実施例６に係る電気かみそりの節度構造を示す縦断側面図である。
【図１４】実施例７に係るかみそりヘッドを示す一部破断側面図である。
【図１５】実施例７に係るかみそりヘッドを示す横断平面図である。
【図１６】実施例７に係る電気かみそりの洗浄状態を示す側面図である。
【図１７】実施例８に係るかみそりヘッドを示す正面図である。
【図１８】実施例８に係る電気かみそりの洗浄状態を示す側面図である。
【図１９】実施例９に係るかみそりヘッドを示す横断平面図である。
【図２０】実施例１０に係るかみそりヘッドを示す横断平面図である。
【図２１】実施例１１に係るかみそりヘッドを示す横断平面図である。
【図２２】実施例１１に係る電気かみそりの洗浄状態を示す側面図である。
【図２３】実施例１２に係るかみそりヘッドを示す横断平面図である。
【図２４】実施例１３に係る電気かみそりの側面図である。
【図２５】実施例１４に係るかみそりヘッドを示す横断平面図である。
【図２６】固定刃ホルダーおよび開閉体をかみそりヘッドから分離した状態を示す側面図である。
【図２７】実施例１５に係る電気かみそりの縦断側面図である。
【発明を実施するための形態】
【００２５】
（実施例１）  図１ないし図４に、本発明における電気かみそりの実施例１を示す。なお、本実施例における前後、左右、上下とは、図２および図３に示す交差矢印と、各矢印の近傍に表記した前後、左右、上下の表示に従う。図２および図３に示すように、本実施例に係る電気かみそりは、グリップを兼ねる本体ケース１と、本体ケース１で支持されるかみそりヘッド２を備えており、本体ケース１およびかみそりヘッド２はそれぞれ円柱状に形成されている。本体ケース１の中心軸線Ｐ１と、かみそりヘッド２の中心軸線Ｐ２は平行に配置されており、電気かみそりの全体は本体ケース１の中心軸線Ｐ１に沿って棒状に構成される。電気かみそりを使用するときには、例えば本体ケース１を親指と人差し指と中指の３本の手指で鉛筆を持つよう把持できる。本体ケース１の内部には、減速機を一体に備えたモーター３と、電気かみそりの電源となる電池４と、電気かみそりの動作を制御する制御基板５などの電装品が配置されている。本体ケース１の前面には、モーター３への給電状態をオンオフするスイッチボタン６が設けられている。
【００２６】
図１および図４に示すように、かみそりヘッド２は下側に開口を有するキャップ状に形成されており、本体ケース１に対して上下方向に着脱自在に固定される。かみそりヘッド２の円形の断面外郭形状は、本体ケース１の円形の断面外郭形状よりも小さく形成されており、かみそりヘッド２の中心軸線Ｐ２は、本体ケース１の中心軸線Ｐ１に対して径方向の後側へ偏寄する状態で配置されている。このようにかみそりヘッド２を本体ケース１に対して偏寄配置することにより、図３に示すようにヘッドケース９の前半側の内偏寄周面９ｂは、本体ケース１の断面外郭形状より後側に位置し、ヘッドケース９の後半側の外偏寄周面９ａは、本体ケース１の断面外郭形状の後周面上に位置する。これに伴い、かみそりヘッド２を平面から見た状態では、本体ケース１の断面外郭形状と内偏寄周面９ｂの間に、三日月状の仮想空間Ｓが形成される。ヘッドケース９の先端面９ｃは、かみそりヘッド２の中心軸線Ｐ２に対して傾斜させてあり、ヘッドケース９の外偏寄周面９ａの側（後端）から内偏寄周面９ｂの側（前端）へ向かって下り傾斜している。
【００２７】
上記の中心軸線Ｐ１、および中心軸線Ｐ２とは、本体ケース１およびかみそりヘッド２の断面外郭形状が円形または楕円形の場合には、その中心を通る軸線を意味し、本体ケース１およびかみそりヘッド２の断面外郭形状が四角形あるいは多角形の場合には、断面外郭形状に外接する円の中心を通る軸線を意味する。また、電気かみそりの全体が棒状とは、緩やかな弓状の湾曲棒状を含む意味であり、この場合の中心軸線Ｐ１・Ｐ２は本体ケース１およびかみそりヘッド２に沿って湾曲する。
【００２８】
ヘッドケース９の外周面には、主として短毛を切断するための短毛切断部１０を備えた短毛切断エリアＦ１が設けられており、短毛切断エリアＦ１を除くヘッドケース９の外面側には、長毛やくせ毛を切断するための機能構造を備えた機能構造エリアＦ２が設けられている。具体的には、図１および図３に示すように短毛切断エリアＦ１は、外偏寄周面９ａに設けられており、機能構造エリアＦ２は、ヘッドケース９の先端面９ｃおよび仮想空間Ｓに臨んで設けられている。
【００２９】
図１および図４に示すように短毛切断部１０は、ヘッドケース９でアーチ状に保持された固定刃１４と、固定刃１４に摺接する可動刃１５を備えたせん断刃構造で構成されている。固定刃１４は一群の刃孔を備えた網刃からなり、ヘッドケース９の外偏寄周面９ａに開口された刃窓１６に刃孔が臨むように、固定刃１４の左右縁がヘッドケース９に着脱自在に固定されている。可動刃１５は先のモーター３の動力で回転駆動される回転刃軸１７と、回転刃軸１７に外嵌固定される４個のディスク１８と、ディスク１８に固定される、一群の小刃を備えた円筒切刃１９で構成されている。可動刃１５は円筒切刃１９が固定刃１４の内面に摺接しながら回転する。固定刃１４の刃孔で捕捉されたひげは、刃孔内周面と円筒切刃１９の小刃で切断（せん断）される。切断された毛屑は、ヘッドケース９と固定刃１４で区画されたかみそりヘッド２の内部の毛屑室Ｒに保持される。なお、ヘッドケース９への固定刃１４の固定は、無端枠状の固定刃カセットで固定刃１４をアーチ状に支持し、この固定刃カセットがヘッドケース９に対して着脱自在に保持される形態であってもよい。
【００３０】
回転刃からなる可動刃１５は、回転刃軸１７が本体ケース１に固定した支持フレーム２２で回転自在に支持されている。図１および図４に示すように支持フレーム２２は、回転刃軸１７の先端側を回転自在に軸支する先端支持枠２３と、本体ケース１に連結固定されて先端支持枠２３を支持する連結枠２４を備えている。連結枠２４は、平面視において円筒切刃１９と同心円の部分円弧状に形成されており、可動刃１５の前面側に臨むように配置されている。また、支持フレーム２２は、回転刃軸１７の基端側を回転自在に軸支する基端支持枠２５を備えており、これにより、可動刃１５は支持フレーム２２で回転自在に保持される。先端支持枠２３および基端支持枠２５により回転自在に支持される回転刃軸１７は、その中心がかみそりヘッド２の中心軸線Ｐ２より後側に偏寄する状態で平行に配置されている。図１において符号２７はベアリングを示している。連結枠２４の下端と基端支持枠２５の後端には、支持フレーム２２を本体ケース１に連結固定するための連結片２６がそれぞれ下向きに突設されている。
【００３１】
図１に示すように本体ケース１の上端には、ヘッドケース９および支持フレーム２２が固定される連結ボス２９が設けられている。連結ボス２９の上面の前後には支持フレーム２２の連結片２６が差し込まれる連結孔３０が凹み形成されており、この連結孔３０に連結片２６を差し込むことにより、支持フレーム２２は本体ケース１に対して上下方向に着脱自在に固定される。また、連結ボス２９の上面中央には、本体ケース１の内部に連通する連通孔３１が設けられており、連通孔３１に臨むようにモーター３の出力軸に固定した駆動筒３ａが配置されている。支持フレーム２２を本体ケース１に固定した状態においては、回転刃軸１７の下端が連通孔３１に差し込まれて駆動筒３ａと係合しており、これにより、モーター３の動力が回転刃軸１７に伝動されるようになっている。回転刃軸１７と連通孔３１の間にはリング状のシール体３２が配置されており、毛屑が本体ケース１内に侵入するのを防止している。ヘッドケース９はその下端部を連結ボス２９に外嵌装着することにより、本体ケース１に対して着脱自在に固定されている。連結ボス２９の周面と、ヘッドケース９の下端内面には、互いに係合してヘッドケース９を回動不能に保持する凸部３３と凹部３４が形成されている。ヘッドケース９を本体ケース１から分離することにより、固定刃１４を新規なものと交換することができ、また、支持フレーム２２を本体ケース１から分離することにより、可動刃１５を支持フレーム２２ごと新規なものと交換することができる。
【００３２】
本実施例では、機能構造エリアに設けられる機能構造は、長毛やくせ毛を切断するための長毛切断部３７で構成されている。図４に示すように長毛切断部３７は、ヘッドケース９の短毛切断部１０と対向する内偏寄周面９ｂ（外周面）に設けられている。長毛切断部３７には、２個の帯板状のかみそり刃３８が配置されており、かみそり刃３８は切刃３９の対向縁に折り曲げ形成される装着部４０を備えている。かみそり刃３８の切刃３９は、かみそりヘッド２の中心軸線Ｐ２と平行に配置されており、各切刃３９が外向きになる状態で背中合わせ状に設けられている。かみそり刃３８は、装着部４０がヘッドケース９に設けた装着スリット４１に差し込み装着されて、ヘッドケース９に対して着脱自在に設けられている。なお、かみそり刃３８の切刃３９は、正面視においてかみそりヘッド２の中心軸線Ｐ２に対して、１５度程度傾いた状態で配置されていてもよい。また、かみそり刃３８は、装着部４０に固定した樹脂を介して装着スリット４１に差し込み装着することができる。
【００３３】
上記のように、短毛切断部１０をせん断刃構造で構成し、機能構造を長毛切断部３７で構成すると、長毛やくせ毛を長毛切断部３７で容易に切断できるので、長毛切断部３７で長毛やくせ毛を粗剃りしたのち短毛切断部１０で仕上げ剃りを行って、粗剃りから仕上げ剃りまでのひげ切断を効率よく行うことができる。また、長毛切断部３７に帯板状のかみそり刃３８を配置すると、長毛切断部３７の構造を簡素化して、長毛切断部３７を設けたことによる電気かみそりのコスト上昇を抑制できる。
【００３４】
２個のかみそり刃３８を、各かみそり刃３８の切刃３９が外向きになる状態で背中合わせ状に設けると、長毛や肌面に倒れこんだくせ毛の状況に応じて各かみそり刃３８を使い分けて切断することにより、粗剃りを素早く行うことができる。
かみそり刃３８の切刃３９を、かみそりヘッド２の中心軸線Ｐ２と平行に配置すると、かみそりヘッド２をその中心軸線Ｐ２と交差する向きに操作することで、長毛やくせ毛をかみそり刃３８で的確に切断できる。また、より上下寸法の大きなかみそり刃３８を設けることができる。従って、かみそり刃３８の使い勝手を向上して、粗剃りをより素早く行うことができる。
【００３５】
ヘッドケース９の対向する外周面にかみそり刃３８と短毛切断部１０を設けると、把持した電気かみそりの姿勢を半回転させることで、かみそり刃３８による粗剃りと短毛切断部１０による仕上げ剃りを使い分けてひげ切断を行うことができる。
ヘッドケース９に対してかみそり刃３８を着脱自在に設けると、切れ味の落ちたかみそり刃３８を新規なかみそり刃３８に交換することができ、常に切れ味のよいかみそり刃３８で長毛やくせ毛を効率よく切断できる。
【００３６】
ヘッドケース９の外周面には、かみそり刃３８の切刃３９と向かい合うように肌保護部４４が形成されており、本実施例の肌保護部４４は、ヘッドケース９に凹み形成した溝の各かみそり刃３８の切刃３９と対向する尖端部４５で構成した。前後方向における切刃３９と尖端部４５の高さ一は一致している。このように、かみそり刃３８の切刃３９と対向するヘッドケース９の外面に肌保護部４４を形成すると、かみそり刃３８の切刃３９に臨む空間に肌が垂れ込むのを防止できるため、切刃３９によって肌を傷つけるのを防止しながら長毛やくせ毛を切断することができる。また、ヘッドケース９の外周面に凹み形成した溝の尖端部４５で肌保護部４４を構成すると、別途肌を保護する部材を設けることなく簡単な構成で肌保護部４４を形成できるので、肌保護部４４を設けたことによる電気かみそりのコスト上昇を抑制できる。
【００３７】
上記の機能構造は、長毛切断部３７に加え、毛起こし機能を有する肌接触体４８からなる機能構造を備えている。肌接触体４８は、ヘッドケース９の先端面９ｃに設けられており、先端面９ｃに形成した部分球面状の突起群（凹凸突起群）４９として構成されている。先に説明したように、かみそりヘッド２の中心軸線Ｐ２に対してヘッドケース９の先端面９ｃが傾斜しているので、かみそり刃３８を肌面にあてがうとき、かみそりヘッド２を肌面に対して傾斜させることができる。これにより、狙った位置が見やすく的確に先端面９ｃを移動させることができるので、ピンポイントに先端面９ｃを移動させて長毛やくせ毛を的確に起こすことができる。また、ヘッドケース９の外偏寄周面９ａの側から内偏寄周面９ｂの側に向かってヘッドケース９の先端面９ｃが下り傾斜させてあるので、肌接触体で毛起こしする際に短毛切断部１０を肌面から遠ざけることができ、電気かみそりを駆動していない状態において、誤って長毛やくせ毛が短毛切断部１０に捕捉されてひげが引っ張られるおそれがない。ヘッドケース９の先端面９ｃには、突起群（凹凸突起群）４９に代えて、或いは併用してリブ状突起６２を設けることができる。
【００３８】
上記のように本実施例の電気かみそりにおいては、かみそりヘッド２の先端面９ｃおよび仮想空間Ｓに臨んで機能構造エリアＦ２を設けたので、電気かみそりを載置台上に横臥姿勢で載置した状態において、内偏寄周面９ｂに設けた長毛切断部３７が載置面に接するのを回避できるので、載置面との接触や衝突による長毛切断部３７の破損を防止できる。
【００３９】
ヘッドケース９の先端側の内部には、かみそりヘッド２を振動させる起振構造が設けられている。起振構造は支持フレーム２２に設けられており、起振軸５１と、起振軸５１に固定される偏心おもり５２などで構成されている。こうした起振構造においては、起振軸５１と直交する平面上の振動が生起される。起振軸５１は、固定刃１４を厚み方向に振動させるための振動成分を含む振動が生起されるよう配置するが、本実施例においては、起振軸５１はかみそりヘッド２の中心軸線Ｐ２と平行に配置した。因みに、起振構造で生起される振動に固定刃１４を厚み方向に振動させるための振動成分を含まない場合とは、平板状に保持した固定刃１４に対して、その厚み方向に沿う状態で起振軸５１を設けた時であり、前記条件を満たさない場合には、生起された振動には僅かであっても固定刃１４の厚み方向の振動成分が含まれる。従って、本実施例のように固定刃１４をアーチ状に保持した場合には、起振軸５１をいずれの向きに配置した場合でも、生起された振動に固定刃１４を厚み方向に振動させるための振動成分が含まれる。
【００４０】
起振軸５１は、図４に示すようにヘッドケース９でアーチ状に保持した固定刃１４のアーチ断面における頂部の接線Ｔ、およびかみそりヘッド２の中心軸線Ｐ２に直交する仮想基準線Ｑを想定するとき、前記仮想基準線Ｑに直交する状態で配置する。具体的には、本実施例の起振構造は回転刃軸１７が起振軸５１を兼ねており、かみそりヘッド２の中心軸線Ｐ２と平行に配置されている。偏心おもり５２は、支持フレーム２２の先端支持枠２３より上側に突出した回転刃軸１７に外嵌固定されている。モーター３を起動すると可動刃１５とともに偏心おもり５２が回転駆動され、水平面に倣う（起振軸５１に直交する平面に倣う）の振動が生起される。生起された振動により、アーチ状に保持された固定刃１４は、その全周部分において厚み方向に振動する。このとき、回転刃軸１７はかみそりヘッド２の中心軸線Ｐ２よりも後側に配置しているので、短毛切断部１０側に振動がより伝動されやすい。このように、起振軸５１を、かみそりヘッド２の中心軸線Ｐ２と平行、つまり固定刃１４を厚み方向に振動させるための振動成分を含む振動が生起されるよう配置すると、肌面にあてがいやすくメインでよく使用する固定刃１４の周面部分の頂部において、固定刃１４を厚み方向に振動させることができる、従って、肌面に対して直交する向きに固定刃１４を振動させて、断続的に固定刃１４を肌面に押し付けることができるので、固定刃１４の内方にひげをより深く導入して、仕上げ剃りにおいて深ぞりすることができる。また、可動刃１５の回転刃軸１７が起振軸５１を兼ねるようにしたので、起振構造専用のモーターを設ける必要がなく、電気かみそりの構造を簡素化し、起振構造を設けたことによる電気かみそりのコスト上昇を抑制できる。モーター３を本体ケース１内に設けた分、かみそりヘッド２の小型化および構造の簡素化を図ることができる。
【００４１】
上記のように、ヘッドケース９の先端側の内部に、かみそりヘッド２を振動させる起振構造を設けると、起振構造で生起された振動で短毛切断部１０の可動刃１５を振動させて切れ味を向上し、ひげ切断を効率的に行うことができる。また、グリップを兼ねる本体ケース１から離れたヘッドケース９の先端側に起振構造を設けることで、起振構造で生起した振動が電気かみそりを把持する手指に伝わるのを可及的に小さくできる。
支持フレーム２２を設けた起振構造によれば、起振構造で生起された振動を効率よく可動刃１５に伝動できるので、可動刃１５の切れ味をより向上できる。また、振動により可動刃１５と固定刃１４の接触圧が大小に変化するので、回転刃からなる可動刃１５の摺接抵抗を低減することができ、モーター３の負荷の低減および消費電力の抑制を図ることができる。
【００４２】
かみそり刃３８が配置される長毛切断部３７は、図４に示すようにヘッドケース９の内偏寄周面９ｂ側のヘッドケース９を間にして連結枠２４と正対している。また、内偏寄周面９ｂの内面側と連結枠２４の前面とは接触するように配置されている。このように、長毛切断部３７と連結枠２４を配置すると、起振構造で生起された振動を連結枠２４およびヘッドケース９を介してかみそり刃３８に作用させることができるので、かみそり刃３８の切れ味を向上し、長毛やくせ毛の切断をより効率よく行うことができる。なお、内偏寄周面９ｂの内面側と連結枠２４の前面とは、必ずしも接触させる必要はなく、僅かな隙間を介して配置してあってもよい。
【００４３】
図３に示すように、仮想空間Ｓに臨む本体ケース１の前部上端に、かみそりヘッド２を照らす照明体５５が設けられている。照明体５５は砲弾型のＬＥＤで構成し、その光軸が長毛切断部３７に向かって指向するようにした。照明体５５の先端には拡散ブロック５６を配置して、照明体５５から照射された光を拡散させるようにしている。電気かみそりの使用時には、照明体５５から照射された照明光でかみそりヘッド２、長毛切断部３７および肌面を照らしながらひげ切断を行えるので、ひげの状態やひげの切断状況などを適確に把握しながら的確にひげ切断を行うことができる。
【００４４】
電気かみそりを使用する場合には、まず、ヘッドケース９の先端面９ｃを肌面にあてがい、長毛や肌面に倒れこんだくせ毛を肌接触体４８で起こして切断し易い状態にする。次いで、長毛やくせ毛をかみそり刃３８を配置した長毛切断部３７で粗剃りし、さらに短毛切断部１０で仕上げ剃りを行う。このように、毛起こし、粗剃り、仕上げ剃りの一連のひげ剃り動作をひとつの電気かみそりのみで効率よく行うことができる。
【００４５】
（実施例２）  図５および図６に本発明に係る電気かみそりの実施例２を示す。本実施例では、図５に示すように、肌保護部４４に沿って、肌面にポイント的に圧力を加えることができる一群の突起（凹凸）からなる毛起こし体５９が形成されている。毛起こし体５９は、肌保護部４４の一部として機能しており、肌保護部４４と肌面との接触機会を増やしている。また、図６に示すようにかみそり刃３８は、その切刃３９が毛起こし体５９の頂部と向かい合う状態で、各装着部４０が装着スリット４１に接着固定されている。かみそり刃３８の外面には、かみそり刃３８の切刃３９と交差する状態で、多数個の保護ワイヤー６０が等間隔おきに配置されて、その両端部がヘッドケース９に埋設固定されている。この状態の保護ワイヤー６０の左右両端部は、上下に隣接する毛起こし体５９で上下動不能に保持されるので、かみそり刃３８が肌面に接触するとき、保護ワイヤー６０が切刃３９に対して上下にずれ動くのを阻止できる。他は実施例１と同じであるので、同じ部材に同じ符号を付してその説明を省略する。以下の説明においても同じとする。
【００４６】
上記のように、肌保護部４４に毛起こし体５９を形成すると、長毛や肌面に倒れこんだくせ毛を毛起こし体５９で起こし、かみそり刃３８との接触機会を増やして、長毛やくせ毛の切断をより効率よく行うことができる。
かみそり刃３８の外面に保護ワイヤー６０を設けると、切刃３９が肌面に不必要に押し付けられるのを保護ワイヤー６０で阻止できるので、かみそり刃３８の肌あたりをソフトなものにできるので、かみそり刃３８が肌面に与えるダメージを小さくできる。
保護ワイヤー６０を毛起こし体５９で移動不能に保持すると、別途保護ワイヤー６０を保持する部材を設ける必要がなく、簡単な構成で保護ワイヤー６０のずれ動きを阻止して、かみそり刃３８が肌面に与えるダメージをより小さくできる。
【００４７】
（実施例３）  図７に本発明に係る電気かみそりの実施例３を示す。本実施例では、かみそり刃３８からなる長毛切断部３７が、短毛切断部１０に隣接する状態でヘッドケース９の外周面に設けられている。このように、短毛切断部１０とかみそり刃３８を隣接させると、電気かみそりを持ち変える必要もなく手首を軽くひねるだけで、かみそり刃３８と短毛切断部１０を肌面にあてがって粗剃りと仕上げ剃りを行えるので、短時間で効果的なひげ切断を行うことができる。また、かみそり刃３８を使用する際に短毛切断部１０が下向きにならないので、短毛切断部１０で切断した毛屑がこぼれ落ちるのを防止できる。
【００４８】
（実施例４）  図８に本発明に係る電気かみそりの実施例４を示す。本実施例では、ヘッドケース９の短毛切断部１０と対向する内偏寄周面９ｂ（外周面）に、ヘッドケース９（かみそりヘッド２）の軸方向に長い複数のリブ状突起６２からなる肌接触体４８が設けられており、ヘッドケース９の先端面９ｃに、１個のかみそり刃３８からなる長毛切断部３７が設けられている。ヘッドケース９は円筒ケース６３と、円筒ケース６３の先端に外嵌装着される先端ピース６４とで構成されており、かみそり刃３８は、切刃３９が左右方向に沿うように装着部４０が装着スリット４１に接着固定されている。かみそり刃３８の切刃３９に向かい合う肌保護部４４は、ヘッドケース９の先端面９ｃに突出形成したリブ状の突起で構成されており、かみそり刃３８は、その切刃３９が肌保護部４４の頂部と向かい合うように設けられている。本実施例のかみそり刃３８は、ヘッドケース９の先端ピース６４ごと交換するようになっている。上記のリブ状突起６２は、複数の薄いフィン状体を近接して設けたものであってもよく、その場合、フィン状体は、弾性、かつ柔軟性を発揮させるため、シリコンゴムやニトリルゴムなどの柔軟なゴム素材で形成することが好ましい。ヘッドケース９の外周面には、リブ状突起６２に代えて、或いは併用して突起群（凹凸突起群）４９を設けることができる。
【００４９】
起振構造は、起振構造専用の起振モーター６５と、起振モーター６５の出力軸に固定される偏心おもり５２で構成されており、起振モーター６５の出力軸が起振軸５１を兼ねている。起振モーター６５の出力軸は、仮想基準線Ｑに直交するかみそりヘッド２の中心軸線Ｐ２と平行に配置されており、円筒ケース６３の前側上部の内面に設けたモーター固定座６６に装着されている。この状態において起振モーター６５の下端面は先端支持枠２３の上面に密着している。これにより、起振構造で生起された振動は、ヘッドケース９および支持フレーム２２に伝動される。このように、起振軸５１を、かみそりヘッド２の中心軸線Ｐ２と平行、つまり固定刃１４を厚み方向に振動させるための振動成分を含む振動が生起されるよう配置すると、肌面にあてがいやすくメインでよく使用する固定刃１４の周面部分の頂部において、固定刃１４を厚み方向に振動させることができる、従って、肌面に対して直交する向きに固定刃１４を振動させることができる。これにより、断続的に固定刃１４を肌面に押し付けることができるので、固定刃１４の内方にひげをより深く導入して、仕上げ剃りにおいて深ぞりすることができる。また、起振モーター６５はかみそりヘッド２の中心軸線Ｐ２よりも前側に配置しているので、肌接触体４８側に振動がより伝動されやすい。従って、起振構造で生起された振動を効率よく肌接触体４８に作用させ、より素早く長毛や肌面に倒れこんだくせ毛を起こすことができる。なお、起振モーター６５を備えた起振構造によれば、起振構造の配設位置の自由度が向上し、また、振動の付与方向を自在に設定することができる利点がある。先の実施例１と同様に、本実施例においても固定刃１４をアーチ状に保持しているので、起振軸５１をいずれの向きに配置した場合でも、生起された振動に固定刃１４を厚み方向に振動させるための振動成分が含まれる。なお、上記した各実施例には複数のリブ状突起６２からなる肌接触体４８は、設けられていないが、このような肌接触体構造は、ケース９の外周面において当然、他の機能構造、例えば長毛やくせ毛を切断するための長毛切断部３７、或いは後述する毛屑排出構造と併用して構成することができる。以下の実施例の肌接触体構造も同様である。
【００５０】
起振モーター６５は、例えば起振モーター６５の出力軸（起振軸５１）がかみそりヘッド２の中心軸線Ｐ２に直交するように、本実施例の状態から仮想基準線Ｑまわりに９０度回転させた状態で配置することができる。この場合には、固定刃１４の周面部分の頂部において、固定刃１４を厚み方向に振動させつつ、かみそりヘッド２をその中心軸線Ｐ２方向に振動させることができる。従って、断続的に固定刃１４を肌面に押し付けながら、可動刃１５およびかみそり刃３８でひげを引き切りできるので、両刃１５・３８の切れ味を向上できる。なお、起振軸５１は上記のようにかみそりヘッド２の中心軸線Ｐ２に直交する状態だけでなく、仮想基準線Ｑまわりに回転させたどの位置に配置しても、固定刃１４の頂部において厚み方向に振動させることができる。
【００５１】
本実施例における起振モーター６５は、円筒ケース６３の頂部後側にモーター固定座６６を形成して配置することができる。この場合には、固定刃１４近傍に起振モーター６５を配置するので、固定刃１４へ効果的に振動を付与できる。このとき、起振モーター６５の出力軸をかみそりヘッド２の中心軸線Ｐ２と同一方向にすれば、固定刃１４の周方向のすべての面において厚み方向に振動を付与できるので、深ぞりを効果的に行うことができる。また、起振モーター６５は、支持フレーム２２に設けた固定座に固定することもできる。この場合には、起振構造は可動刃１５を介して固定刃１４の頂部を厚み方向に効果的に振動させることができ、固定刃１４により振動を伝えやすくして、より一層引き切り効果を高めることができる。なお、本発明における「支持フレーム２２に起振構造が設けられている」とは、実施例１のように起振構造が支持フレーム２２に組付けられている形態、あるいは本実施例のように支持フレーム２２以外の部品に起振モーター６５が固定されその一部を支持フレーム２２に接触させている形態も含む意味である。
【００５２】
（実施例５）  図９および図１０に本発明に係る電気かみそりの実施例５を示す。本実施例では、図９に示すようにヘッドケース９の先端面９ｃに、２個の平板状のかみそり刃３８を設け、先端面９ｃに対して傾斜する状態で、切刃３９の対向縁の装着部４０を装着スリット４１に装着して長毛切断部３７としている。図１０に示すように、装着スリット４１に装着したかみそり刃３８の切刃３９は、それぞれ左右の肌保護部４４と対向する状態で配置されている。
【００５３】
上記の実施例４および５のように、かみそりヘッド２の先端面９ｃにかみそり刃３８を設けると、かみそりヘッド２の先端面９ｃは、肌面に対してより自在に移動操作しやすいので、狙った部位の長毛やくせ毛を的確に切断できる。また、かみそり刃３８の細かな操作が可能な分、狭い領域の長毛やくせ毛を的確に切断できる。
【００５４】
（実施例６）  図１１から図１３に本発明に係る電気かみそりの実施例６を示す。本実施例では、図１１に示すように機能構造は、毛起こし棒６９からなる肌接触体４８で構成されており、毛起こし棒６９の上端（一端）にはＬ字状の支持アーム７０が一体に設けられている。ヘッドケース９の先端面９ｃは水平面で形成されており、毛起こし棒６９は、支持アーム７０の垂直軸部の中途部がヘッドケース９のアーム支持孔７１で回動可能に支持されて、ヘッドケース９の周囲を回転できるようになっている。毛起こし棒６９は、ヘッドケース９の周囲のいずれの位置においてもヘッドケース９の外周面と隙間を介して対向しており、少なくとも毛起こし棒６９が長毛切断部３７と正対して仮想空間Ｓ内に位置している状態においては、毛起こし棒６９が本体ケース１の断面の外郭形状の内部に収まっている。また、毛起こし棒６９とかみそり刃３８とを正対させた状態における両者３８・６９の対向隙間Ｅ１は、毛起こし棒６９と短毛切断部１０を正対させた状態における両者１０・６９の対向隙間Ｅ２より小さく設定されている。図１２に示すように毛起こし棒６９には、ヘッドケース９の外周面と対向する周面を除いて、毛起こし棒６９の軸方向に長く形成された３個のリブ状突起６２からなる毛起こし体５９が設けられている。
【００５５】
ヘッドケース９と支持アーム７０との間に、毛起こし棒６９を所定位置で位置保持する節度構造が設けられており、毛起こし棒６９がかみそり刃３８と正対する状態と、短毛切断部１０と正対する状態とに位置保持できるように構成されている。図１３に示すように節度構造は、ヘッドケース９側に設けられる節度凹部７２と、支持アーム７０側に設けられる節度突起７３と、節度凹部７２と節度突起７３とを係合状態に保持する付勢ばね７４などを備えている。ヘッドケース９の先端内面には支持ボス７５が設けられており、同ボス７５の下面側の前後に節度凹部７２が凹み形成されている。また、支持ボス７５の中央には、支持アーム７０の垂直軸部を回転自在に支持するアーム支持孔７１が形成されている。支持アーム７０の垂直軸部の中途部には、回転不能に固定されるフランジ体７６が設けられており、フランジ体７６の上面前側に節度突起７３が突出形成されている。節度構造は支持ボス７５に外嵌固定される有底筒状のカバー体７７で覆われており、フランジ体７６とカバー体７７の底壁内面との間に付勢ばね７４が配置されている。支持アーム７０の垂直軸部下端は、カバー体７７の底壁でも回転自在に支持されている。
【００５６】
節度構造で長毛切断部３７に正対する位置に位置保持された毛起こし棒６９は、支持アーム７０を下方に押し込むことにより、前側の節度凹部７２と節度突起７３の係合状態が解除されて回動可能な状態となる。この状態で、短毛切断部１０側に回動操作し、支持アーム７０の押し込みを解除することにより、後側の節度凹部７２に節度突起７３が係合され、毛起こし棒６９は短毛切断部１０に正対する位置に位置保持される。再度毛起こし棒６９を長毛切断部３７側に位置保持する場合には、支持アーム７０を下方に押し込んで後側の節度凹部７２と節度突起７３の係合を解除し、節度突起７３を前側の節度凹部７２に係合させればよい。このように、支持アーム７０の押し込み操作と回動操作で毛起こし棒６９の保持位置を変更できる。なお、図１３において符号７８は、支持アーム７０の押し込み限界を規定する規制フランジである。本実施例においても、かみそりヘッド２に肌接触体４８、長毛切断部３７、および短毛切断部１０を備えているので、毛起こし、粗剃り、仕上げ剃りの一連のひげ剃り動作をひとつの電気かみそりのみで効率よく行うことができる。
【００５７】
上記のように、毛起こし棒６９をヘッドケース９の外周面と隙間を介して対向させると、ヘッドケース９より先に毛起こし棒６９を肌面に接触させて長毛やくせ毛を的確に起こすことができる。また、毛起こし棒６９にリブ状突起６２からなる毛起こし体５９を形成すると、毛起こし棒６９と肌面との接触機会を増やして長毛やくせ毛をより的確に起こすことができる。
【００５８】
毛起こし棒６９がヘッドケース９の周囲を回転できるようにすると、短毛切断部１０、または長毛切断部３７の近傍に毛起こし棒６９を位置させることにより、電気かみそりの姿勢を大きく変更することもなく、毛起こし棒６９による毛起こしと短毛切断部１０あるいは長毛切断部３７によるひげ切断を行うことができる。また、短毛切断部１０あるいは長毛切断部３７の遠方に毛起こし棒６９を位置させることにより、毛起こし棒６９による毛起こしと短毛切断部１０あるいは長毛切断部３７によるひげ切断を明確に使い分けることができる。従って、毛起こし棒６９の位置により使用形態を択一的に選択できるので、ユーザーが好む使用形態で電気かみそりを使用できる。例えば、毛起こし棒６９を短毛切断部１０に正対させた状態で、可動刃１５（モータ３）を駆動して積極的に毛起こし棒６９と短毛切断部１０を使用した使い方をすることができる。この場合、毛起こし棒６９でひげを起こしながら短毛切断部１０でひげ切断を行える。よって効果的にひげの切断が可能となる。このとき、毛起こし棒６９を固定刃１４の周方向の任意場所（例えば固定刃の周方向の中央部および両端部分の３か所）に毛起こし棒６９が位置保持できるように節度構造を設定すれば、毛起こし棒６９が不用意に回動することがない。
【００５９】
毛起こし棒６９が仮想空間Ｓ内に位置している状態において、毛起こし棒６９が本体ケース１の断面の外郭形状の内部に収まっていると、電気かみそりを載置台上に横臥姿勢で載置した状態において、毛起こし棒６９が載置面に接するのを回避できるので、載置面との接触や衝突による毛起こし棒６９の破損を防止できる。
毛起こし棒６９とかみそり刃３８とを正対させた状態における両者３８・６９の対向隙間Ｅ１を、毛起こし棒６９と短毛切断部１０を正対させた状態における両者１０・６９の対向隙間Ｅ２より小さく設定すると、かみそり刃３８を毛起こし棒６９でより確実に保護できる。また、毛起こし棒６９を短毛切断部１０に正対させた状態では、電気かみそりを駆動していない状態において、長毛やくせ毛が短毛切断部１０に捕捉されてひげが引っ張られるおそれがない。
【００６０】
短毛切断部１０、またはかみそり刃３８からなる長毛切断部３７と正対する状態で毛起こし棒６９を位置保持できるように節度構造を設けると、短毛切断部１０の使用中はかみそり刃３８を毛起こし棒６９でカバーできるので、誤って長毛切断部３７のかみそり刃３８で肌面を傷つけるのを防止できる。また、長毛切断部３７の使用中は短毛切断部１０を毛起こし棒６９でカバーできるので、誤って衣服等が短毛切断部１０に巻き込まれるのを防止できる。
【００６１】
（実施例７）  図１４から図１６に本発明に係る電気かみそりの実施例７を示す。本実施例では、図１４に示すように、仮想空間Ｓに臨むヘッドケース９の内偏寄周面９ｂに、毛屑室Ｒ内に保持された毛屑の排出を容易化する毛屑排出構造（機能構造）を設けるようにした。詳しくは、ヘッドケース９の周囲壁に、かみそりヘッド２の内部の毛屑室Ｒに連通する排出窓（窓）８０を開口し、排出窓８０を開閉体８１で開閉できるようにして、先の機能構造を構成するようにした。開閉体８１は、排出窓８０を上下、すなわちかみそりヘッド２の中心軸線Ｐ２方向にスライド開閉するシャッター８２で構成されている。図１５に示すようにシャッター８２は、ヘッドケースの周面に沿う外突湾曲状に形成されており、その下端外面には、シャッター８２の開閉操作時に指を掛けるための操作片８３が設けられている。シャッター８２の左右の縁部には、Ｌ字状の一対のガイド片８４が設けられており、ガイド片８４は、ヘッドケース９と同ケース９に固定した四角枠状のシャッター枠８５とで形成されるガイド溝８６でスライド案内されている。図示していないが、シャッター８２は、開放位置と閉じ位置とで位置保持される保持構造を備えている。排出窓８０と正対する支持フレーム２２の連結枠２４には排出開口８７が形成されており、毛屑室Ｒの毛屑や洗浄水を効率よく排出窓８０から排出できるようにしている。本実施例では、ヘッドケース９の先端面９ｃに、１個のかみそり刃３８からなる長毛切断部３７を設けるようにした。なお、上記した各実施例には排出窓８０や開閉体８１を含む毛屑排出構造は設けられていないが、このような毛屑排出構造は、ケース９の外周面において当然、他の機能構造、例えば長毛やくせ毛を切断するための長毛切断部３７、或いは毛起こし機能を有するリブ状突起６２と併用して構成することができる。以下の実施例の毛屑排出構造も同様である。
【００６２】
毛屑室Ｒ内を清掃する場合には、図１６に示すようにシャッター８２を開放し、電気かみそりの姿勢を排出窓８０が下向きになる状態に保持する。この状態で、短毛切断部１０から洗浄水を毛屑室Ｒに供給し、排出開口８７および排出窓８０を介して洗浄水とともに毛屑を排出し毛屑室Ｒを洗浄する。このとき、モーター３を起動しておくことで、毛屑室Ｒで洗浄水を攪拌してより効果的に毛屑室Ｒが洗浄できる。洗浄後もシャッター８２を開放しておけば、毛屑室Ｒの乾燥が促進される。なお、排出窓８０から洗浄水を供給して短毛切断部１０からひげ屑とともに洗浄水を排出することができる。すなわち排出窓８０は洗浄水の導入窓とすることができる。また、洗浄水を用いずに、シャッター８２を開放した状態で電気かみそりを振り動かすことでも毛屑を排出することができる。
【００６３】
上記のように、機能構造エリアＦ２に臨むヘッドケース９の周囲壁に、排出窓８０と排出窓８０を開閉する開閉体８１を含む機能構造を設けると、開閉体８１を開放して排出窓８０をヘッドケース９の外面に向かって開口させることにより、毛屑室Ｒ内の毛屑を簡便に排出できる。また、短毛切断部１０から洗浄水を供給することで、毛屑室Ｒ内を水洗いしながら、洗浄水とともに毛屑を排出できる。従って、毛屑室Ｒ内に溜まった毛屑の清掃を容易化して、手軽に毛屑室Ｒの清掃を行うことができる。また、開閉体８１をシャッター８２で構成すると、開閉体８１の構造を簡素化でき、さらにシャッター８２をスライドするだけの簡単な操作で、排出窓８０をヘッドケース９の外面に向かって開口させることができる。指掛け用の操作片８３を設けたシャッター８２によれば、操作片８３を利用してシャッター８２のスライド操作を片手で的確に行うことができる。このとき、シャッター８２の本体ケース１寄りに操作片８３が設けられているので本体ケース１を握りながらシャッター８２の開閉を行うとき操作しやすい。
【００６４】
（実施例８）  図１７および図１８に本発明に係る電気かみそりの実施例８を示す。本実施例では、ヘッドケース９に実施例７と同様の開閉体８１を設けるが、ガイド溝８６の上端をヘッドケース９の先端面９ｃに露出させる点が実施例７と異なる。こうした開閉体８１によれば、シャッター８２をスライド操作して排出窓８０を開放した状態において、ヘッドケース９の先端からシャッター８２の大部分（一部）を突出できる。なお、正面から見たシャッター枠８５はコ字状に形成してある。このように、ヘッドケース９の先端からシャッター８２の大部分を突出させると、排出窓８０が開放されていることをシャッター８２で表示できる。また、排出窓８０が開放されていることを目視で確認できるので、排出窓８０が開放されたままひげ切断が行われるのを効果的に防止できる。
【００６５】
（実施例９）  図１９に本発明に係る電気かみそりの実施例９を示す。本実施例では、シャッター８２をヘッドケース９の周方向にスライド開閉できるように構成した。これに伴い、ガイド片８４はシャッター８２の上下の縁部に設けられ、操作片８３はシャッター８２の右端外面に設けられている。図１９に示す状態から、シャッター８２を図１９に向かって左側へスライド操作すると、排出窓８０をヘッドケース９の外面に向かって開口して毛屑を排出できる。このように、シャッター８２のスライド方向は、かみそりヘッド２の中心軸線Ｐ２に沿う方向だけでなく、かみそりヘッド２の周方向であってもよい。
【００６６】
（実施例１０）  図２０に本発明に係る電気かみそりの実施例１０を示す。本実施例では、開閉体８１は、ヘッドケース９で軸支される揺動軸９０を備えており、開閉体８１がヘッドケース９で揺動開閉可能に支持されている。揺動軸９０は、開閉体８１の右端上下にかみそりヘッド２の中心軸線Ｐ２と平行に設けられており、開閉体８１は揺動軸９０を中心にして前後方向に揺動開閉できる。操作片８３は開閉体８１の左端外面に設けられている。なお、符号９１は、開閉体８１を閉姿勢に保持するロック爪である。このように、揺動開閉可能に支持した開閉体８１によれば、排出窓８０をヘッドケース９の外面に向かって大きく開口することができるので、毛屑室Ｒ内の毛屑を素早く排出できる。また、開閉体８１を開放した状態で開閉体８１の内面を洗浄水で洗い流すことができるので、毛屑の洗浄をより確実に行って、毛屑室Ｒをより清潔に保つことができる。
【００６７】
（実施例１１）  図２１および図２２に本発明に係る電気かみそりの実施例１１を示す。本実施例では、図２１に示すように開閉体８１は、外突湾曲状の主壁９３と、主壁９３の左右縁部から後向きに延出される一対の側壁９４とで構成されて、その断面形状はＵ字型の樋状に形成されている。主壁９３の本体ケース１側の端部には、ヘッドケース９で軸支される揺動軸９０が設けられている。揺動軸９０はかみそりヘッド２の中心軸線Ｐ２と直交しており、開閉体８１は側面視において前後方向に揺動開閉できる。開閉体８１は、ヘッドケース９と開閉体８１の本体ケース１側の端部とが当接することで揺動限界が規定され、開放位置で位置保持されるようになっている。開閉体８１が開放位置に位置保持された状態においては、かみそりヘッドの中心軸線Ｐ２と開閉体８１の中心軸線Ｐ３が挟む角度θ１が鋭角に設定されている。本実施例では角度θ１は１７度に設定している。上記の「Ｕ字型の樋状」とは、例えば主壁９３から同じ曲率で連続する一対の側壁９４を備える形態、換言すれば、部分円弧状断面の開閉体８１も含む意味である。
【００６８】
上記のように、揺動軸９０を、かみそりヘッド２の中心軸線Ｐ２と直交し、かつヘッドケース９の本体ケース１側の端部に位置する状態で配置すると、排出窓８０から排出される毛屑や洗浄水が本体ケース１側に飛び散るのを開閉体８１で受け止めて、本体ケース１を把持する手指などに毛屑や洗浄水が付着するのを抑制できる。また、開閉体８１の断面形状を樋状に形成すると、開閉体８１で受け止めた洗浄水をガイドして、揺動先端から毛屑や洗浄水を捨てることができるので、洗浄時に毛屑や洗浄水が周囲に飛散するのを防止できる。
開閉体８１が開放位置に位置保持された状態において、かみそりヘッドの中心軸線Ｐ２と開閉体８１の中心軸線Ｐ３が挟む角度θ１を鋭角に設定すると、電気かみそりの洗浄姿勢において、排出窓８０の下方に開閉体８１を位置させ、排出窓８０から排出された洗浄水を開閉体８１で受け止めて、開閉体８１の内面を同時に洗浄することができる。従って、毛屑を的確に洗い流して毛屑室Ｒ内を清潔に保つことができる。
【００６９】
（実施例１２）  図２３に本発明に係る電気かみそりの実施例１２を示す。本実施例では、主壁９３が平坦に形成されて、開閉体８１の断面形状が横臥コ字型の樋状に形成されている。このように、開閉体８１の断面形状は先の実施例１１のようにＵ字型の樋状に限られない。
【００７０】
（実施例１３）  図２４に本発明に係る電気かみそりの実施例１３を示す。本実施例では、ヘッドケース９で揺動開閉可能に支持した開閉体８１を開閉操作するための操作具９６が、本体ケース１に設けられている。操作具９６は、本体ケース１の前面に上下スライド可能に設けられる操作ノブ９７と、操作ノブ９７と開閉体８１とを接続するＬ字状の接続アーム９８とからなり、接続アーム９８の上端が開閉体８１の主壁９３の下端外面に、相対回動自在に接続されている。閉姿勢にある開閉体８１は、操作ノブ９７を下側にスライド操作することで開放姿勢へと開操作される。逆に開放姿勢ある開閉体８１は、操作ノブ９７を上側にスライド操作することで閉姿勢へと閉じ操作される。このように、本体ケース１に操作具９６を設けると、本体ケース１を把持した状態のまま指先で開閉体８１を開閉操作できるので、開閉体８１の開閉を片手でしかも容易に行うことができる。
【００７１】
（実施例１４）  図２５および図２６に本発明に係る電気かみそりの実施例１４を示す。本実施例では、ヘッドケース９は、支持フレーム２２の上端に固定される先端ケース１０１と、固定刃１４を着脱自在に保持する固定刃ホルダー１０２と、排出窓８０を開閉する開閉体８１を備えている。開閉体８１と固定刃ホルダー１０２はそれぞれ半筒状に形成されており、ヒンジピン１０３が内挿されるヒンジ部１０４を介して相対揺動可能に連結されている。開閉体８１と固定刃ホルダー１０２の揺動先端どうしを接触させた状態では、円筒を呈している。固定刃ホルダー１０２はヘッドケース９の外偏寄周面９ａを構成しており、開閉体８１はヘッドケース９の内偏寄周面９ｂを構成している。図２５に想像線で示すように、ヘッドケース９は、固定刃ホルダー１０２および開閉体８１が、可動刃１５および支持フレーム２２の周囲を覆う閉じ姿勢と、開閉体８１および固定刃ホルダー１０２が、可動刃１５および支持フレーム２２の周囲を開放する開放姿勢との間でそれぞれ揺動開閉できる。本実施例においては、開閉体８１を開放姿勢としたときのヘッドケース９の前面側が排出窓８０となっている。固定刃ホルダー１０２および開閉体８１を閉じ姿勢にした状態においては、ヒンジ部１０４の内面が支持フレーム２２の連結枠２４の右側面に設けた支持凹部１０５で受止められている。また、開閉体８１および固定刃ホルダー１０２の揺動先端に設けられた係合爪（係合部）１０６が、支持フレーム２２の連結枠２４の左側面に設けられた係合溝１０７とそれぞれ係合している。図示していないが、開閉体８１固定刃ホルダー１０２のそれぞれは、図２５に示す閉じ姿勢から１８０度回転させた位置で位置保持される保持構造を備えている。本体ケース１の連結ボス２９には、支持フレーム２２の装着部分を隠蔽するための目隠しリング１０８が外嵌装着されている。
【００７２】
上記の電気かみそりによれば、開閉体８１のみを開放姿勢にすることで排出窓８０をヘッドケース９の外面に向かって開口させ、毛屑や短毛切断部１０から供給した洗浄水を排出窓８０から排出できる。また、開閉体８１を閉じ姿勢のまま固定刃ホルダー１０２を開放姿勢にすることで、固定刃ホルダー１０２で着脱自在に保持される固定刃１４を取外し、新規な固定刃１４と交換することができる。さらに、固定刃ホルダー１０２および開閉体８１を開放姿勢にした状態においては、両者８１・１０２はヒンジ部１０４の内面が支持フレーム２２で受止められているだけであるので、図２６に示すように、固定刃ホルダー１０２および開閉体８１を先端ケース１０１から分離することができる。これにより、可動刃１５および支持フレーム２２を露呈させた状態で洗浄でき、さらに固定刃ホルダー１０２および開閉体８１の内面も洗浄することができるので、毛屑を的確に洗い流して毛屑室Ｒをより清潔に保つことができる。
【００７３】
上記の実施例では、固定刃ホルダー１０２で固定刃１４を着脱自在に保持したが、固定刃１４を固定刃ホルダー１０２に分離不能に固定する形態を採ることができる。この場合には、固定刃１４の交換は、開閉体８１と固定刃ホルダー１０２のすべてをまるごと交換することになる。
【００７４】
（実施例１５）  図２７に本発明に係る電気かみそりの実施例１５を示す。本実施例では、短毛切断部１０の可動刃１５は往復刃で構成されている。可動刃１５は、一群のスリット刃を備える内切刃１１０と、内切刃１１０をＵ字状に保持する内切刃ホルダー１１１と、内切刃ホルダー１１１の上下端に設けられる一対の可動刃軸１１２で構成されている。上下の可動刃軸１１２は、支持フレーム２２の先端支持枠２３および基端支持枠２５で摺動自在に支持されている。モーター３と可動刃１５の間には、フェースギヤ１１３とリンクアーム１１４とが設けられており、下側の可動刃軸１１２とリンクアーム１１４とは、相対回動自在に連結されている。モーター３を起動すると、フェースギヤ１１３およびリンクアーム１１４で回転動力が往復動力に変換され、可動刃１５が上下に往復駆動される。なお、図２７おいて符号１１５はブッシュを示している。機能構造エリアＦ２には、かみそり刃３８を配置した長毛切断部３７と、毛起こし機能を有する肌接触体４８とが設けられている。
【００７５】
上記のかみそり刃３８を配置した長毛切断部３７に換えて、かみそりヘッド２の中心軸線Ｐ２方向に伸びる、櫛状固定刃と櫛状可動刃からなる長毛切断部３７を設けることができる。櫛状可動刃は可動刃軸１１２と接続されており、可動刃軸１１２から往復動力を受けることで伸び方向に沿って往復動され、櫛状固定刃と協同して長毛やくせ毛を切断できる。本実施例において、先の実施例４と同様の起振モーター６５を含む起振構造を設けることができる。起振構造を設けることで肌面に対して直交する向きに固定刃１４を振動させることができ、これにより、断続的に固定刃１４を肌面に押し付けることができるので、固定刃１４の内方にひげをより深く導入して、仕上げ剃りにおいて深ぞりすることができる。
【００７６】
機能構造エリアＦ２に設けられる機能構造としては、上記で説明した長毛切断部３７、肌接触体４８、毛屑排出構造以外に、冷却構造、加熱構造、イオン導入出構造などの肌処理構造を挙げることができる。機能構造エリアＦ２に冷却構造または加熱構造を設ける場合には、ヘッドケース９の外面に伝熱板を設け、伝熱板の内面側にペルチェ素子およびヒートシンクを搭載する。ペルチェ素子は印加する電圧の正逆を切り替えることで伝熱板を冷却し、あるいは加熱できる。冷却した伝熱板を肌面にあてがうことにより、肌面を冷やしてひげ剃り後のヒリ付きを緩和することができる。また、加熱した伝熱板でひげを温めることにより、ひげを柔らかくしてひげ切断を容易化することができる。機能構造エリアＦ２にイオン導入出構造を設ける場合には、ヘッドケース９の外面に肌電極を設け、本体ケース１にグリップ電極を設ける。グリップ電極に触れるように本体ケース１を手で把持し肌電極を肌面に接触させた状態で、肌電極に正逆の電圧を印加することにより、毛穴内の汚れを肌電極で吸着し、あるいは肌面上の水分等を肌内部に導入できる。
【００７７】
以上のように、上記の各実施例のよう構成した電気かみそりによれば、短毛切断エリアＦ１に設けた短毛切断部１０による短毛切断に加え、機能構造エリアＦ２に設けた機能構造による付加的機能を発揮させて、短毛切断動作と、機能構造におけるひげ切断、切断前処理、あるいは肌処理などの動作を、他の器具に持ち替えることなく一連の動作として行うことができる。従って、全体が棒状に構成されている電気かみそりにおいて、操作性を維持しつつ実用利便性を向上できる。
【００７８】
上記の各実施例に係る美容器具は、以下の形態で実施することができる。
【００７９】
グリップを兼ねる本体ケース１と、かみそりヘッド２を備える電気かみそりの全体が、本体ケース１の中心軸線Ｐ１に沿って棒状に構成されており、
かみそりヘッド２のヘッドケース９の外周面に、可動刃１５を有する主として短毛を切断するための短毛切断部１０を備えた短毛切断エリアＦ１が設けられており、
短毛切断エリアＦ１を除くヘッドケース９の外面側に、ひげ切断、切断前処理、あるいは肌処理などを行うための機能構造を備えた機能構造エリアＦ２が設けられていることを特徴とする電気かみそり。
上記構成の美容器具は、本体ケース１とかみそりヘッド２を備える電気かみそりの全体を、本体ケース１の中心軸線Ｐ１に沿って棒状に構成し、かみそりヘッド２のヘッドケース９の外周面に、短毛切断部１０を備えた短毛切断エリアＦ１を設けた。また、短毛切断エリアＦ１を除くヘッドケース９の外面側に、機能構造を備える機能構造エリアＦ２を設けた。こうした電気かみそりによれば、短毛切断とは別に機能構造による付加的機能を発揮させて、短毛切断部１０における短毛切断動作と、機能構造におけるひげ切断、切断前処理、肌処理などの動作を、他の器具に持ち替えることなく一連の動作として行うことができる。従って、全体が棒状に構成されている電気かみそりにおいて、操作性を維持しつつ実用利便性を向上できる。
【００８０】
本体ケース１の中心軸線Ｐ１と、かみそりヘッド２の中心軸線Ｐ２が平行に配置されており、
かみそりヘッド２の断面の外郭形状が、本体ケース１の断面の外郭形状よりも小さく形成されて、かみそりヘッド２の中心軸線Ｐ２が、本体ケース１の中心軸線Ｐ１に対して径方向へ偏寄する状態で配置されており、
ヘッドケース９の外偏寄周面９ａに短毛切断エリアＦ１が設けられ、外偏寄周面９ａと対向する内偏寄周面９ｂの側に、かみそりヘッド２の断面の外郭形状と、本体ケース１の断面の外郭形状で規定される仮想空間Ｓが設けられており、
ヘッドケース９の先端面９ｃおよび／または仮想空間Ｓに臨んで機能構造エリアＦ２が設けられている電気かみそり。
本体ケース１とかみそりヘッド２の中心軸線Ｐ１・Ｐ２を平行に配置し、かみそりヘッド２の断面の外郭形状を、本体ケース１の断面の外郭形状よりも小さく形成して、かみそりヘッド２の中心軸線Ｐ２を、本体ケース１の中心軸線Ｐ１に対して径方向へ偏寄する状態で配置した。また、ヘッドケース９の外偏寄周面９ａに短毛切断エリアＦ１を設けた。さらに、外偏寄周面９ａと対向する内偏寄周面９ｂの側に、かみそりヘッド２の断面の外郭形状と、本体ケース１の断面の外郭形状で規定される仮想空間Ｓを設け、ヘッドケース９の先端面９ｃおよび／または仮想空間Ｓに臨んで機能構造エリアＦ２を設けた。こうした電気かみそりによれば、電気かみそりを載置台上に横臥姿勢で載置した状態において、内偏寄周面９ｂに設けた機能構造が載置面に接するのを回避できるので、載置面との接触や衝突による機能構造の破損を防止できる。
【００８１】
短毛切断部１０が、ヘッドケース９で保持された固定刃１４と、固定刃１４に摺接する可動刃１５を備えたせん断刃構造で構成されており、
機能構造が、長毛やくせ毛を切断するための長毛切断部３７で構成されている電気かみそり。
短毛切断部１０をせん断刃構造で構成し、機能構造を長毛切断部３７で構成すると、長毛やくせ毛を長毛切断部３７で容易に切断できるので、長毛切断部３７で長毛やくせ毛を粗剃りしたのち短毛切断部１０で仕上げ剃りを行って、粗剃りから仕上げ剃りまでのひげ切断を効率よく行うことができる。また、ひげ切断に続いて襟足などの毛先を整えることもできる。
【００８２】
長毛切断部３７に帯板状のかみそり刃３８が配置されている電気かみそり。
長毛切断部３７に帯板状のかみそり刃３８を配置すると、長毛切断部３７の構造を簡素化して長毛切断部３７を設けたことによる電気かみそりのコスト上昇を抑制できる。
【００８３】
２個のかみそり刃３８が、各かみそり刃３８の切刃３９が外向きになる状態で背中合わせ状に設けられている電気かみそり。
２個のかみそり刃３８を、各かみそり刃３８の切刃３９が外向きになる状態で背中合わせ状に設けると、長毛や肌面に倒れこんだくせ毛の状況に応じて各かみそり刃３８を使い分けて切断することにより、粗剃りを素早く行うことができる。
【００８４】
かみそり刃３８は、短毛切断エリアＦ１を除くヘッドケース９の外周面に設けられており、
かみそり刃３８の切刃３９が、かみそりヘッド２の中心軸線Ｐ２と平行に配置されている電気かみそり。
短毛切断エリアＦ１を除くヘッドケース９の外周面に設けたかみそり刃３８の切刃３９を、かみそりヘッド２の中心軸線Ｐ２と平行に配置すると、かみそりヘッド２をその中心軸線Ｐ２と交差する向きに操作することで、長毛やくせ毛をかみそり刃３８で的確に切断できる。
【００８５】
かみそり刃３８が、短毛切断部１０に隣接する状態でヘッドケース９の外周面に設けられている電気かみそり。
短毛切断部１０に隣接する状態でヘッドケース９の外周面にかみそり刃３８を設けると、電気かみそりを持ち変える必要もなく手首を軽くひねるだけで、かみそり刃３８と短毛切断部１０を肌面にあてがって粗剃りと仕上げ剃りを行えるので、短時間で効果的なひげ切断を行うことができる。また、かみそり刃３８を使用する際に短毛切断部１０が下向きにならないので、短毛切断部１０で切断した毛屑がこぼれ落ちるのを防止できる。
【００８６】
かみそり刃３８と短毛切断部１０は、ヘッドケース９の対向する外周面に設けられている電気かみそり。
ヘッドケース９の対向する外周面にかみそり刃３８と短毛切断部１０を設けると、電気かみそりの姿勢を半回転させることで、かみそり刃３８による粗剃りと短毛切断部１０による仕上げ剃りを使い分けてひげ切断を行うことができる。
【００８７】
かみそり刃３８が、かみそりヘッド２の先端面９ｃに設けられている電気かみそり。
かみそりヘッド２の先端面９ｃにかみそり刃３８を設けると、電気かみそりを把持した状態におけるかみそりヘッド２の先端面９ｃは、肌面に対してより自在に移動操作しやすいので、狙った部位の長毛やくせ毛を的確に切断できる。また、かみそり刃３８の細かな操作が可能な分、狭い領域の長毛やくせ毛を的確に切断できる利点もある。
【００８８】
かみそり刃３８を備えたヘッドケース９の先端面９ｃが、かみそりヘッド２の中心軸線Ｐ２に対して傾斜している電気かみそり。
かみそり刃３８を備えたヘッドケース９の先端面９ｃを、かみそりヘッド２の中心軸線Ｐ２に対して傾斜させると、かみそり刃３８を肌面にあてがうとき、かみそりヘッド２を肌面に対して傾斜させることができる。従って、狙った位置が見やすく的確に先端面９ｃを移動させることができ、ピンポイントに先端面９ｃを肌面に密着させて長毛やくせ毛をより的確に切断できる。
【００８９】
ヘッドケース９の先端面９ｃが、ヘッドケース９の外偏寄周面９ａの側から内偏寄周面９ｂの側に向かって下り傾斜させてある電気かみそり。
ヘッドケース９の先端面９ｃが、外偏寄周面９ａの側から内偏寄周面９ｂの側へ向かって下り傾斜させてあると、かみそり刃３８で長毛やくせ毛を切断する際に、短毛切断部１０を肌面から遠ざけることができる。従って、電気かみそりを駆動していない状態において、誤って長毛やくせ毛が短毛切断部１０に捕捉されてひげが引っ張られるおそれがなく、痛みを伴うことなく長毛やくせ毛を切断できる。
【００９０】
かみそり刃３８の切刃３９と対向するヘッドケース９の外面に肌保護部４４が形成されている電気かみそり。
かみそり刃３８の切刃３９と対向するヘッドケース９の外面に肌保護部４４を形成すると、かみそり刃３８の切刃３９に臨む空間に肌が垂れ込むのを防止できるため、切刃３９によって肌を傷つけるのを防止しながら長毛やくせ毛を切断することができる。
【００９１】
肌保護部４４は、ヘッドケース９の外面に形成されたリブ状突起、または溝で構成されている電気かみそり。
ヘッドケース９の外面に形成されたリブ状突起、または溝で肌保護部４４を構成すると、別途肌を保護する部材を設けることなく簡単な構成で肌保護部４４を形成できるので、肌保護部４４を設けたことによる電気かみそりのコスト上昇を抑制できる。
【００９２】
肌保護部４４に、凹凸からなる毛起こし体５９が形成されている電気かみそり。
肌保護部４４に、凹凸からなる毛起こし体５９を形成すると、長毛や肌面に倒れこんだくせ毛を毛起こし体５９で起こし、かみそり刃３８との接触機会を増やして、長毛やくせ毛の切断をより効率よく行うことができる。
【００９３】
かみそり刃３８の外面に、かみそり刃３８の切刃３９と交差する保護ワイヤー６０が設けられている電気かみそり。
かみそり刃３８の外面に、かみそり刃３８の切刃３９と交差する保護ワイヤー６０を設けると、切刃３９が肌面に不必要に押し付けられるのを保護ワイヤー６０で阻止できるので、かみそり刃３８の肌あたりをソフトなものにできる。従って、かみそり刃３８が肌面に与えるダメージを小さくできる。
【００９４】
保護ワイヤー６０が、毛起こし体５９で移動不能に保持されている電気かみそり。
保護ワイヤー６０を毛起こし体５９で移動不能に保持すると、別途保護ワイヤー６０を保持する部材を設ける必要がなく、簡単な構成で保護ワイヤー６０のずれ動きを阻止して、かみそり刃３８が肌面に与えるダメージをより小さくできる。
【００９５】
かみそり刃３８が、ヘッドケース９に対して着脱自在に設けられている電気かみそり。
ヘッドケース９に対してかみそり刃３８を着脱自在に設けると、切れ味の落ちたかみそり刃３８を新規なかみそり刃３８に交換することができ、常に切れ味のよいかみそり刃３８で長毛やくせ毛を効率よく切断できる。
【００９６】
機能構造が、毛起こし機能を有するリブ状突起６２と、凹凸突起群４９と、棒状体のいずれかひとつで構成された肌接触体４８からなる電気かみそり。
毛起こし機能を有するリブ状突起６２と、凹凸突起群４９と、棒状体のいずれかひとつで構成された肌接触体４８からなる機能構造によれば、肌接触体４８で長毛や肌面に倒れこんだくせ毛を起こして、短毛切断部１０で捕捉し易くできるので、短毛切断部１０による粗剃りから仕上げ剃りまでのひげ切断を効率よく行うことができる。なお、前記リブ状突起６２は、シリコンゴムやニトリルゴムなどの柔軟なゴム素材からなるフィン状体で構成することができる。
【００９７】
肌接触体４８が毛起こし棒６９で構成されており、
毛起こし棒６９がヘッドケース９の外周面と隙間を介して対向している電気かみそり。
肌接触体４８を毛起こし棒６９で構成し、毛起こし棒６９をヘッドケース９の外周面と隙間を介して対向させると、ヘッドケース９より先に毛起こし棒６９を肌面に接触させて長毛やくせ毛を起こすことができる。従って、狙った位置の長毛やくせ毛を的確に起こして、短毛切断部１０による粗剃りから仕上げ剃りまでのひげ切断をより効率よく行うことができる。
【００９８】
毛起こし棒６９に、凹凸からなる毛起こし体５９が形成されている電気かみそり。
毛起こし棒６９に、凹凸からなる毛起こし体５９を形成すると、長毛やくせ毛を毛起こし体５９でより的確に起こして、短毛切断部１０による粗剃りから仕上げ剃りまでのひげ切断をさらに効率よく行うことができる。
【００９９】
毛起こし棒６９の一端にＬ字状の支持アーム７０が設けられており、
支持アーム７０がヘッドケース９で回動可能に支持されて、毛起こし棒６９がヘッドケース９の周囲を回転できる電気かみそり。
毛起こし棒６９の一端に設けたＬ字状の支持アーム７０をヘッドケース９で回動可能に支持して、毛起こし棒６９がヘッドケース９の周囲を回転できるようにした。こうした毛起こし棒６９によれば、短毛切断部１０の近傍に毛起こし棒６９を位置させることにより、電気かみそりの姿勢を大きく変更することもなく、毛起こし棒６９による毛起こしと短毛切断部１０によるひげ切断を行うことができる。また、短毛切断部１０の遠方に毛起こし棒６９を位置させることにより、毛起こし棒６９による毛起こしと短毛切断部１０によるひげ切断を明確に使い分けることができる。従って、毛起こし棒６９の位置により使用形態を択一的に選択できるので、ユーザーが好む使用形態で電気かみそりを使用できる。
【０１００】
毛起こし棒６９が仮想空間Ｓ内に位置している状態において、毛起こし棒６９が本体ケース１の断面の外郭形状の内部に収まっている電気かみそり。
毛起こし棒６９が仮想空間Ｓ内に位置している状態において、毛起こし棒６９が本体ケース１の断面の外郭形状の内部に収まっていると、電気かみそりを載置台上に横臥姿勢で載置した状態において、毛起こし棒６９が載置面に接するのを回避できるので、載置面との接触や衝突による毛起こし棒６９の破損を防止できる。
【０１０１】
機能構造エリアＦ２に設けた長毛切断部３７に帯板状のかみそり刃３８が配置されており、
ヘッドケース９と支持アーム７０との間に、毛起こし棒６９を位置保持する節度構造が設けられており、
節度構造が、かみそり刃３８と正対する状態の毛起こし棒６９を位置保持できるように構成されている電気かみそり。
機能構造エリアＦ２に設けた長毛切断部３７に帯板状のかみそり刃３８を配置した。また、毛起こし棒６９を位置保持する節度構造を設けて、節度構造が、かみそり刃３８と正対する状態の毛起こし棒６９を位置保持できるように構成した。これによれば、かみそり刃３８を毛起こし棒６９でカバーできるので、短毛切断部１０でのひげ切断の最中に、誤って長毛切断部３７のかみそり刃３８で肌面を傷つけるのを防止できる。
【０１０２】
毛起こし棒６９とかみそり刃３８とを正対させた状態における両者３８・６９の対向隙間Ｅ１が、毛起こし棒６９と短毛切断部１０を正対させた状態における両者１０・６９の対向隙間Ｅ２より小さく設定されている電気かみそり。
毛起こし棒６９とかみそり刃３８とを正対させた状態における両者３８・６９の対向隙間Ｅ１を、毛起こし棒６９と短毛切断部１０を正対させた状態における両者１０・６９の対向隙間Ｅ２より小さく設定すると、かみそり刃３８を毛起こし棒６９でより確実に保護できる。また、毛起こし棒６９を短毛切断部１０に正対させた状態では、電気かみそりを駆動していない状態において、長毛やくせ毛が短毛切断部１０に捕捉されてひげが引っ張られるおそれがない。
【０１０３】
かみそりヘッド２のヘッドケース９の外周面であって、短毛切断部１０が設けられている位置とは異なる位置に、リブ状突起６２または／および凹凸突起群４９からなる肌接触体４８が設けられる電気かみそり。
かみそりヘッド２のヘッドケース９の外周面であって、短毛切断部１０が設けられている位置とは異なる位置に、リブ状突起６２または／および凹凸突起群４９からなる肌接触体４８を設けた。これにより肌接触体４８の構造を簡素化でき電気かみそりのコスト上昇を抑制できる。
【０１０４】
ヘッドケース９の先端面９ｃに、リブ状突起６２または／および凹凸突起群４９からなる肌接触体４８が設けられる電気かみそり。
ヘッドケース９の先端面９ｃに、リブ状突起６２または／および凹凸突起群４９からなる肌接触体４８を設けた。これにより肌接触体４８の構造を簡素化でき電気かみそりのコスト上昇を抑制できる。また、かみそりヘッド２の先端側に肌接触体４８が設けられるので、ポイント的に毛起こしを行うことができるので使い勝手が向上する。
【０１０５】
かみそりヘッド２を支持する本体ケース１の端部に、かみそりヘッド２を照らす照明体５５が設けられている電気かみそり。
かみそりヘッド２を支持する本体ケース１の端部に、かみそりヘッド２を照らす照明体５５を設けると、照明体５５から照射された照明光でかみそりヘッド２および肌面を照らして、ひげの状態や肌面の状態を適確に把握しながら機能構造におけるひげ切断、切断前処理、あるいは肌処理などの動作を行える。
【０１０６】
照明体５５の光軸が、機能構造に向かって指向している電気かみそり。
光軸を機能構造に向かって指向させた照明体５５によれば、例えば機能構造が長毛切断部３７や肌接触体４８である場合には、長毛やくせ毛の状態を明確に把握しながらひげ切断あるいは毛起こしを行うことができる。また、機能構造が冷却構造、加熱構造、またはイオン導入出構造などである場合には、肌面の状況を明確に把握しながら肌処理を行うことができる。
【０１０７】
ヘッドケース９の先端側の内部に、かみそりヘッド２を振動させる起振構造が設けられている電気かみそり。
ヘッドケース９の先端側の内部に、かみそりヘッド２を振動させる起振構造を設けると、起振構造で生起された振動で短毛切断部１０の可動刃１５を振動させて切れ味を向上し、ひげ切断を効率的に行うことができる。また、可動刃１５と摺接する固定刃１４を備えている短毛切断部１０においては、固定刃１４もともに振動するので、ひげの導入効果が向上し、ひげの切断を効果的に行うことができる。起振構造は、グリップを兼ねる本体ケース１から離れたヘッドケース９の先端側に設けることで、起振構造で生起した振動が電気かみそりを把持する手指に伝わるのを可及的に小さくできる。
【０１０８】
短毛切断部１０が、ヘッドケース９で保持された薄板状の固定刃１４と、固定刃１４に摺接する可動刃１５を備えたせん断刃構造で構成されており、
起振構造は、起振軸５１と、起振軸５１に固定される偏心おもり５２とを含み、
起振軸５１が、固定刃１４を厚み方向に振動させるための振動成分を含む振動が生起されるよう配置されている電気かみそり。
短毛切断部１０を、薄板状の固定刃１４と可動刃１５を備えたせん断刃構造で構成する。また、起振軸５１と、起振軸５１に固定される偏心おもり５２とを含んで起振構造を構成し、固定刃１４を厚み方向に振動させるための振動成分を含む振動が生起されるよう起振軸５１を配置した。こうした電気かみそりによれば、肌面に対して直交する向きに固定刃１４を振動させることができる。これにより、断続的に固定刃１４を肌面に押し付けることができるので、固定刃１４の内方にひげをより深く導入して、仕上げ剃りにおいて深ぞりすることができる。
【０１０９】
固定刃１４は、ヘッドケース９でアーチ状に保持されており、
固定刃１４のアーチ断面における頂部の接線Ｔ、およびかみそりヘッド２の中心軸線Ｐ２に直交する仮想基準線Ｑを想定するとき、
起振軸５１が、前記仮想基準線Ｑに直交する状態で配置されている電気かみそり。
ヘッドケース９でアーチ状に保持した固定刃１４のアーチ断面における頂部の接線Ｔ、およびかみそりヘッド２の中心軸線Ｐ２に直交する仮想基準線Ｑを想定するとき、前記仮想基準線Ｑに直交する状態で起振軸５１を配置した。こうした電気かみそりによれば、接線Ｔの接点部分における固定刃１４を厚み方向に振動させることができる。従って、肌面に対して直交する向きに固定刃１４を振動させることができ、これにより、断続的に固定刃１４を肌面に押し付けることができるので、固定刃１４の内方にひげをより深く導入して、仕上げ剃りにおいて深ぞりすることができる。
【０１１０】
短毛切断部１０の可動刃１５が、回転刃軸１７を有する回転刃で構成されており、
回転刃軸１７は、本体ケース１に固定した支持フレーム２２で回転自在に支持されており、
支持フレーム２２に起振構造が設けられている電気かみそり。
短毛切断部１０の可動刃１５を、回転刃軸１７を有する回転刃で構成した。また、回転刃軸１７は、本体ケース１に固定した支持フレーム２２で回転自在に支持して、支持フレーム２２に起振構造を設けた。これによれば、起振構造で生起された振動を支持フレーム２２を介して効率よく可動刃１５に伝動できるので、可動刃１５の切れ味をより向上できる。また、可動刃１５と摺接する固定刃１４を備えている短毛切断部１０の場合には、振動により固定刃１４も振動するので、ひげの導入効果がより向上し、ひげの切断をより効果的に行うことができる。
【０１１１】
支持フレーム２２は、回転刃軸１７の先端側を回転自在に軸支する先端支持枠２３と、本体ケース１に連結固定されて先端支持枠２３を支持する連結枠２４を備えており、
ヘッドケース９の内偏寄周面９ｂを間にして連結枠２４と正対するように、機能構造が配置されている電気かみそり。
支持フレーム２２は、先端支持枠２３と先端支持枠２３を支持する連結枠２４を備え、ヘッドケース９の内偏寄周面９ｂを間にして連結枠２４と正対するように機能構造を配置すると、起振構造で生起された振動を連結枠２４およびヘッドケース９を介して機能構造に作用させることができる。従って、機能構造がかみそり刃３８を配置した長毛切断部３７の場合には、かみそり刃３８の切れ味を向上し、長毛やくせ毛の切断をより効率よく行うことができる。また、機能構造が肌接触体４８の場合には、より素早く長毛や肌面に倒れこんだくせ毛を起こすことができる。また、機能構造が肌面の冷却あるいは加熱などを行う肌処理構造の場合には、振動によるマッサージ作用を発揮しながら肌面を冷却あるいは加熱することができる。
【０１１２】
回転刃軸１７が、起振構造の起振軸５１を兼ねており、
偏心おもり５２および回転刃軸１７を回転駆動するモーター３が、本体ケース１の内部に配置されている電気かみそり。
回転刃軸１７が起振構造の起振軸５１を兼ねるように構成し、偏心おもり５２および回転刃軸１７を回転駆動するモーター３を本体ケース１の内部に配置した。これによれば、１個のモーター３で回転刃軸１７および偏心おもり５２を回転駆動するので、電気かみそりの構造を簡素化し、起振構造を設けたことによる電気かみそりのコスト上昇を抑制できる。また、モーター３を本体ケース１内に設けた分、かみそりヘッド２の小型化および構造の簡素化を図ることができる。
【０１１３】
グリップを兼ねる本体ケース１と、かみそりヘッド２を備える電気かみそりの全体が、本体ケース１の中心軸線Ｐ１に沿って棒状に構成されており、
かみそりヘッド２のヘッドケース９の外周面に、短毛切断部１０を備えており、
ヘッドケース９の先端側の内部に、かみそりヘッド２を振動させる起振構造が設けられており、
短毛切断部１０が、ヘッドケース９で保持された薄板状の固定刃１４と、固定刃１４に摺接する可動刃１５を備えたせん断刃構造で構成されており、
可動刃１５は、モーター３により駆動するように構成されており、
起振構造は、モーター３とは別に設けられる起振モーター６５と、起振モーター６５の出力軸に固定される偏心おもり５２で構成されており、
起振モーター６５は、ヘッドケース９に設けられたモーター固定座６６に装着されていることを特徴とする電気かみそり。
起振構造は、モーター３とは別に設けられる起振モーター６５と、起振モーター６５の出力軸に固定される偏心おもり５２で構成されており、起振モーター６５は、  ヘッドケース９に設けられたモーター固定座６６に装着されている。これによれば、可動刃１５を駆動するモーター３とは別に、起振モーター６５が設けられるので、起振源の位置を自由に設定できる。
【０１１４】
機能構造エリアＦ２に臨むヘッドケース９の周囲壁に、かみそりヘッド２の内部の毛屑室Ｒに連通する排出窓８０が開口されており、
機能構造が、前記排出窓８０と、排出窓８０を開閉する開閉体８１を含んで構成されている電気かみそり。
機能構造エリアＦ２に臨むヘッドケース９の周囲壁に、かみそりヘッド２の内部の毛屑室Ｒに連通する排出窓８０を開口し、機能構造を、排出窓８０と排出窓８０を開閉する開閉体８１を含んで構成すると、開閉体８１を開放して排出窓８０をヘッドケース９の外面に向かって開口させることにより、毛屑室Ｒ内の毛屑を簡便に排出できる。また、短毛切断部１０から洗浄水を供給することで、毛屑室Ｒ内を水洗いしながら、毛屑を洗浄水とともに排出窓８０から排出できる。従って、毛屑室Ｒ内に溜まった毛屑の清掃を容易化して、手軽に毛屑室Ｒの清掃を行うことができる。
【０１１５】
開閉体８１は、排出窓８０をスライド開閉するシャッター８２で構成されており、
シャッター８２の外面に、指掛け用の操作片８３が設けられている電気かみそり。
排出窓８０をスライド開閉するシャッター８２で開閉体８１を構成すると、開閉体８１の構造を簡素化でき、さらにシャッター８２をスライドするだけの簡単な操作で、排出窓８０をヘッドケース９の外面に向かって開口させることができる。また、シャッター８２の外面に指掛け用の操作片８３を設けると、操作片８３を利用してシャッター８２のスライド操作を片手で的確に行うことができる。このとき、シャッター８２の本体ケース１寄りに操作片８３を設けていれば本体ケース１を握りながらシャッター８２の開閉を行うとき操作しやすい。
【０１１６】
シャッター８２が、かみそりヘッド２の中心軸線Ｐ２方向にスライド開閉できるように設けられており、
排出窓８０を開放した状態において、ヘッドケース９の先端からシャッター８２の一部が突出している電気かみそり。
かみそりヘッド２の中心軸線Ｐ２方向にスライド開閉できるようにシャッター８２を設け、排出窓８０を開放した状態において、ヘッドケース９の先端からシャッター８２の一部を突出させると、排出窓８０が開放されていることをシャッター８２で表示できる。また、排出窓８０が開放されていることを目視で確認できるので、排出窓８０が開放されたままひげ切断が行われるのを効果的に防止できる。
【０１１７】
開閉体８１は、ヘッドケース９で軸支される揺動軸９０を備えており、
開閉体８１がヘッドケース９で揺動開閉可能に支持されている電気かみそり。
開閉体８１はヘッドケース９で軸支される揺動軸９０を備え、開閉体８１をヘッドケース９で揺動開閉可能に支持した。こうした開閉体８１によれば、排出窓８０を  ヘッドケース９の外面に向かって大きく開口することができるので、毛屑室Ｒ内の毛屑を素早く排出できる。また、開閉体８１を開放した状態で開閉体８１の内面を洗浄水で洗い流すことができるので、毛屑の洗浄をより確実に行って、毛屑室Ｒをより清潔に保つことができる。
【０１１８】
開閉体８１を支持する揺動軸９０が、かみそりヘッド２の中心軸線Ｐ２と直交し、かつヘッドケース９の本体ケース１側の端部に位置する状態で配置されている電気かみそり。
開閉体８１を支持する揺動軸９０を、かみそりヘッド２の中心軸線Ｐ２と直交し、かつヘッドケース９の本体ケース１側の端部に位置する状態で配置した。こうした  開閉体８１によれば、排出窓８０から排出される毛屑や洗浄水が本体ケース１側に飛び散るのを開閉体８１で受け止めて、本体ケース１を把持する手指などに毛屑や洗浄水が付着するのを抑制できる。
【０１１９】
開閉体８１は開放位置で位置保持されるように構成されており、
開閉体８１が開放位置に位置保持された状態において、かみそりヘッド２の中心軸線Ｐ２と開閉体８１の中心軸線Ｐ３が挟む角度θ１が鋭角に設定されている電気かみそり。
開閉体８１は開放位置で位置保持されるように構成し、開閉体８１が開放位置に位置保持された状態において、かみそりヘッドの中心軸線Ｐ２と開閉体８１の中心軸線Ｐ３が挟む角度θ１を鋭角に設定した。これによれば、電気かみそりの洗浄姿勢において、排出窓８０の下方に開閉体８１を位置させ、排出窓８０から排出された洗浄水を開閉体８１で受け止めて、開閉体８１の内面を同時に洗浄することができる。従って、別途開閉体８１を洗浄する手間を掛けることもなく、毛屑を的確に洗い流して毛屑室Ｒ内をより清潔に保つことができる。
【０１２０】
開閉体８１の断面形状が樋状に形成されている電気かみそり。
開閉体８１の断面形状を樋状に形成すると、開閉体８１で受け止めた洗浄水をガイドして、揺動先端から毛屑や洗浄水を捨てることができるので、洗浄時に毛屑や洗浄水が周囲に飛散するのを防止できる。
【０１２１】
本体ケース１に、開閉体８１を開閉操作するための操作具９６が設けられている電気かみそり。
本体ケース１に開閉体８１を開閉操作するための操作具９６を設けると、本体ケース１を把持した状態のまま指先で開閉体８１を開閉操作できるので、開閉体８１の開閉を片手でしかも容易に行うことができる。
【０１２２】
ヘッドケース９が、短毛切断部１０が備える固定刃１４を着脱自在に保持する固定刃ホルダー１０２と、排出窓８０を開閉する開閉体８１を備えており、
固定刃ホルダー１０２と開閉体８１は、ヒンジ部１０４を介して揺動開閉可能に連結されており、
ヘッドケース９の内部に、本体ケース１に固定されて可動刃１５およびヘッドケース９の先端ケース１０１を支持する支持フレーム２２が設けられており、
ヘッドケース９は、固定刃ホルダー１０２および開閉体８１が、可動刃１５および支持フレーム２２の周囲を覆う閉じ姿勢と、固定刃ホルダー１０２および開閉体８１が、可動刃１５および支持フレーム２２の周囲を開放する開放姿勢との間で揺動開閉でき、
ヘッドケース９を閉じ姿勢にした状態において、ヒンジ部１０４の内面が支持フレーム２２で受止められ、固定刃ホルダー１０２および開閉体８１の揺動先端に設けた係合部１０６が支持フレーム２２と係合している電気かみそり。
短毛切断部１０の固定刃１４を着脱自在に保持する固定刃ホルダー１０２と、排出窓８０を開閉する開閉体８１を備えるようにヘッドケース９を構成し、固定刃ホルダー１０２と開閉体８１は、ヒンジ部１０４を介して揺動開閉可能に連結した。また、ヘッドケース９の内部に、可動刃１５および先端ケース１０１を支持する支持フレーム２２を設け、ヘッドケース９は、固定刃ホルダー１０２および開閉体８１が、閉じ姿勢と開放姿勢との間で揺動開閉できるように構成した。さらに、ヘッドケース９を閉じ姿勢にした状態において、ヒンジ部１０４の内面を支持フレーム２２で受止め、固定刃ホルダー１０２および開閉体８１の揺動先端に設けた係合部１０６を支持フレーム２２と係合するようにした。こうした電気かみそりによれば、開閉体８１のみを開放姿勢にすることで排出窓８０をヘッドケース９の外面に向かって開口させ、毛屑や短毛切断部１０から供給した洗浄水を排出窓８０から排出できる。また、固定刃ホルダー１０２を開放姿勢にすることで、固定刃ホルダー１０２に保持される固定刃１４を効率よく洗浄することができる。また、固定刃ホルダー１０２を開放姿勢にすることで、固定刃ホルダー１０２で着脱自在に保持される固定刃１４を取外し、新規な固定刃１４と交換することができる。さらに、固定刃ホルダー１０２および開閉体８１を開放姿勢にした状態においては、両者８１・１０２はヒンジ部１０４の内面が支持フレーム２２で受止められているだけであるので、固定刃ホルダー１０２および開閉体８１を先端ケース１０１から分離することができる。これにより、可動刃１５および支持フレーム２２を露呈させた状態で毛屑室Ｒを洗浄でき、さらに固定刃ホルダー１０２および開閉体８１の内面も洗浄することができるので、毛屑を的確に洗い流して毛屑室Ｒをより清潔に保つことができる。
【０１２３】
上記の実施例では、本体ケース１およびかみそりヘッド２の断面の外郭形状を円状に形成したが、楕円状、四角形状、あるいは多角形状などに形成することができる。本体ケース１とかみそりヘッド２の断面外郭形状は、同一形状である必要はなく、例えば、本体ケース１の断面外郭形状を六角形に形成し、かみそりヘッド２の断面外郭形状を楕円形に形成してもよい。
【符号の説明】
【０１２４】
１  本体ケース
２  かみそりヘッド
９  ヘッドケース
９ａ  外偏寄周面
９ｂ  内偏寄周面
９ｃ  先端面
１０  短毛切断部
１４  固定刃
１５  可動刃
１７  回転刃軸１７
２２  支持フレーム
２３  先端支持枠
２４  連結枠
３７  長毛切断部
３８  かみそり刃
３９  切刃
４４  肌保護部
４８  肌接触体
４９  凹凸突起群
５１  起振軸
５２  偏心おもり
５５  照明体
５９  毛起こし体
６０  保護ワイヤー
６２  リブ状突起
６９  毛起こし棒
７０  支持アーム
８０  排出窓
８１  開閉体
８２  シャッター
８３  操作片
９０  揺動軸
９６  操作具
１０１  先端ケース
１０２  固定刃ホルダー
１０４  ヒンジ部
１０６  係合部
Ｆ１  短毛切断エリア
Ｆ２  機能構造エリア
Ｐ１  本体ケースの中心軸線
Ｐ２  かみそりヘッドの中心軸線
Ｐ３  開閉体の中心軸線
Ｒ  毛屑室
Ｓ  仮想空間
Ｔ  接線
Ｑ  仮想基準線
θ１  かみそりヘッドの中心軸線と開閉体の中心軸線が挟む角度
【図１】
2018083003.tif 000003
【図２】
2018083003.tif 000004
【図３】
2018083003.tif 000005
【図４】
2018083003.tif 000006
【図５】
2018083003.tif 000007
【図６】
2018083003.tif 000008
【図７】
2018083003.tif 000009
【図８】
2018083003.tif 000010
【図９】
2018083003.tif 000011
【図１０】
2018083003.tif 000012
【図１１】
2018083003.tif 000013
【図１２】
2018083003.tif 000014
【図１３】
2018083003.tif 000015
【図１４】
2018083003.tif 000016
【図１５】
2018083003.tif 000017
【図１６】
2018083003.tif 000018
【図１７】
2018083003.tif 000019
【図１８】
2018083003.tif 000020
【図１９】
2018083003.tif 000021
【図２０】
2018083003.tif 000022
【図２１】
2018083003.tif 000023
【図２２】
2018083003.tif 000024
【図２３】
2018083003.tif 000025
【図２４】
2018083003.tif 000026
【図２５】
2018083003.tif 000027
【図２６】
2018083003.tif 000028
【図２７】
2018083003.tif 000029